(57)【特許請求の範囲】
【請求項１】
無線通信システムにおいてＵＥによってＮｏｎ−Ａｃｃｅｓｓ  Ｓｔｒａｔｕｍ（ＮＡＳ）シグナリング過程を行う方法であって、前記方法は、
第１ネットワークのネットワークノードからネットワーク失敗を指示する情報を含む第１メッセージを受信することと、
ネットワーク選択関連タイマーを起動させることと、
前記ネットワーク選択関連タイマーの動作中に、前記第１ネットワークを除いたネットワーク候補の中から第２ネットワークを選択することと、
を含み、
前記第２ネットワークを選択することは、ネットワーク失敗が発生した前記第１ネットワークのＲａｄｉｏ  Ａｃｃｅｓｓ  Ｔｅｃｈｎｏｌｏｇｙ（ＲＡＴ）およびＰＬＭＮの組み合わせを除いた候補の中からＲＡＴおよびＰＬＭＮの組み合わせを選択することを含む、方法。
【請求項２】
前記第２ネットワークは、
前記第１ネットワークと同じＰＬＭＮであり、前記第１ネットワークとは異なるＲＡＴを使用し、
前記第１ネットワークとは異なるＰＬＭＮであり、前記第１ネットワークと同じＲＡＴを使用するか、または
前記第１ネットワークとは異なるＰＬＭＮであり、前記第１ネットワークとは異なるＲＡＴを使用する、請求項１に記載の方法。
【請求項３】
前記第１ネットワークのネットワークノードに前記ＮＡＳシグナリング過程の要請に関する第２メッセージを送信することをさらに含む、請求項１に記載の方法。
【請求項４】
前記第１メッセージは、前記第２メッセージで要請した前記ＮＡＳシグナリング過程がネットワークによって許容されないことを表す拒絶メッセージである、請求項３に記載の方法。
【請求項５】
前記第２メッセージは、アタッチ要請メッセージ、Ｔｒａｃｋｉｎｇ  Ａｒｅａ  Ｕｐｄａｔｅ（ＴＡＵ）要請メッセージ、Ｒｏｕｔｉｎｇ  Ａｒｅａ  Ｕｐｄａｔｅ（ＲＡＵ）要請メッセージ、又はサービス要請メッセージのうちの一つに対応する、請求項３に記載の方法。
【請求項６】
前記第１メッセージは、アタッチ拒絶メッセージ、ＴＡＵ拒絶メッセージ、ＲＡＵ拒絶メッセージ、又はサービス拒絶メッセージのうちの一つに対応する、請求項１に記載の方法。
【請求項７】
前記第１メッセージが前記アタッチ拒絶メッセージ、前記ＴＡＵ拒絶メッセージ、又は前記ＲＡＵ拒絶メッセージのうちの一つに対応する場合に、試みカウンターの値を上限値に設定することをさらに含む、請求項６に記載の方法。
【請求項８】
前記上限値は５である、請求項７に記載の方法。
【請求項９】
前記ＵＥのアップデート状態が「アップデートされない」に設定される、請求項１に記載の方法。
【請求項１０】
Ｇｌｏｂａｌｌｙ  Ｕｎｉｑｕｅ  Ｔｅｍｐｏｒａｒｙ  Ｉｄｅｎｔｉｆｉｅｒ（ＧＵＴＩ）、最後に訪問した登録されたＴｒａｃｋｉｎｇ  Ａｒｅａ  Ｉｄｅｎｔｉｔｙ（ＴＡＩ）、Ｋｅｙ  Ｓｅｔ  Ｉｄｅｎｔｉｆｉｅｒ（ＫＳＩ）情報、又は均等なＰＬＭＮリストのうちの少なくとも一つが削除される、請求項１に記載の方法。
【請求項１１】
前記ＵＥがＥＭＭ−ＤＥＲＥＧＩＳＴＥＲＥＤ．ＰＬＭＮ−ＳＥＡＲＣＨ状態に設定される、請求項１に記載の方法。
【請求項１２】
前記ＵＥがＡ／Ｇｂモード又はＩｕモードを支援する場合に、Ｐａｃｋｅｔ  Ｔｅｍｐｏｒａｒｙ  Ｍｏｂｉｌｅ  Ｓｕｂｓｃｒｉｂｅｒ  Ｉｄｅｎｔｉｔｙ（Ｐ−ＴＭＳＩ）、Ｐ−ＴＭＳＩシグネチャー、Ｒｏｕｔｉｎｇ  Ａｒｅａ  Ｉｄｅｎｔｉｔｙ（ＲＡＩ）、又はＧｅｎｅｒａｌ  Ｐａｃｋｅｔ  Ｒａｄｉｏ  Ｓｅｒｖｉｃｅ（ＧＰＲＳ）暗号化キーシーケンス番号のうちの少なくとも一つが削除される、請求項１に記載の方法。
【請求項１３】
前記ネットワークノードは、Ｍｏｂｉｌｅ  Ｍａｎａｇｅｍｅｎｔ  Ｅｎｔｉｔｙ（ＭＭＥ）である、請求項１に記載の方法。
【請求項１４】
無線通信システムにおいてＮＡＳシグナリング過程を行うように適合されたＵＥであって、
送受信モジュールと、
プロセッサと、
を備え、
前記プロセッサは、
第１ネットワークのネットワークノードからネットワーク失敗を指示する情報を含む第１メッセージを前記送受信モジュールを使用して受信することと、
ネットワーク選択関連タイマーを起動させることと、
前記ネットワーク選択関連タイマーの動作中に、前記第１ネットワークを除いたネットワーク候補の中から第２ネットワークを選択することと、
を実行するように構成されており、
前記第２ネットワークを選択することは、ネットワーク失敗が発生した前記第１ネットワークのＲａｄｉｏ  Ａｃｃｅｓｓ  Ｔｅｃｈｎｏｌｏｇｙ（ＲＡＴ）およびＰＬＭＮの組み合わせを除いた候補の中からＲＡＴおよびＰＬＭＮの組み合わせを選択することを含む、ＵＥ。
【発明の詳細な説明】
【技術分野】
【０００１】
以下の説明は、無線通信システムに関し、特に、ＮＡＳシグナリング要請処理方法及び装置に関する。
【背景技術】
【０００２】
ＮＡＳ（Ｎｏｎ−Ａｃｃｅｓｓ  Ｓｔｒａｔｕｍ）は、無線通信システムにおいてＵＥ（Ｕｓｅｒ  Ｅｑｕｉｐｍｅｎｔ）とネットワークノード（例えば、ＭＭＥ（Ｍｏｂｉｌｉｔｙ  Ｍａｎａｇｅｍｅｎｔ  Ｅｎｔｉｔｙ）間の制御プレーン（ｃｏｎｔｒｏｌ  ｐｌａｎｅ）の最上位の層（ｓｔｒａｔｕｍ）に該当する。ＮＡＳプロトコルは、ＵＥとＭＭＥ間の移動性管理（Ｍｏｂｉｌｉｔｙ  Ｍａｎａｇｅｍｅｎｔ；ＭＭ）及びセッション管理（Ｓｅｓｓｉｏｎ  Ｍａｎａｇｅｍｅｎｔ；ＳＭ）のためのプロトコルを含む。例えば、ＥＭＭ（ＥＰＳ（Ｅｖｏｌｖｅｄ  Ｐａｃｋｅｔ  Ｓｙｓｔｅｍ）  ＭＭ）プロトコルは、ＵＥの移動性を制御するための過程とＮＡＳプロトコルの保安（ｓｅｃｕｒｉｔｙ）の制御を提供することができる。ＥＳＭ（ＥＰＳ  ＳＭ）プロトコルは、ＥＰＳベアラコンテクスト（ｃｏｎｔｅｘｔ）を処理する過程を含むことができ、ＡＳ（Ａｃｃｅｓｓ  Ｓｔｒａｔｕｍ）によって提供されるベアラの制御、及びユーザプレーン（ｕｓｅｒ  ｐｌａｎｅ）ベアラの制御のために用いられることがある。
【発明の概要】
【発明が解決しようとする課題】
【０００３】
本発明では、ＮＡＳシグナリング過程で下位層失敗又はネットワーク失敗によってＮＡＳシグナリング要請が失敗又は拒絶される場合における効率的な処理方案を提供することを技術的課題とする。
【０００４】
本発明で達成しようとする技術的課題は、以上に言及した技術的課題に制限されず、言及していない他の技術的課題は、下の記載から、本発明の属する技術の分野における通常の知識を有する者には明確に理解されるであろう。
【課題を解決するための手段】
【０００５】
上記の技術的課題を解決するために、本発明の一実施例に係る無線通信システムにおいて端末がＮＡＳ（Ｎｏｎ−Ａｃｃｅｓｓ  Ｓｔｒａｔｕｍ）シグナリング過程を行う方法は、第１ネットワークのネットワークノードからネットワーク失敗を指示する情報を含む第１メッセージを受信することと、ネットワーク選択関連タイマーを起動させることと、前記ネットワーク選択関連タイマーの動作中に、前記第１ネットワークを除いたネットワーク候補の中から第２ネットワークの選択を行うことと、を含むことができる。
【０００６】
上記の技術的課題を解決するために、本発明の一実施例に係る無線通信システムにおいてＮＡＳ（Ｎｏｎ−Ａｃｃｅｓｓ  Ｓｔｒａｔｕｍ）シグナリング過程を行う端末装置は、送受信モジュールと、プロセッサと、を備え、前記プロセッサは、第１ネットワークのネットワークノードからネットワーク失敗を指示する情報を含む第１メッセージを前記送受信モジュールを介して受信し、ネットワーク選択関連タイマーを起動させ、前記ネットワーク選択関連タイマーの動作中に、前記第１ネットワークを除いたネットワーク候補の中から第２ネットワークの選択を行うように設定されるとよい。
【０００７】
上記の本発明に係る諸実施例において以下の事項を共通に適用することができる。
【０００８】
前記第１ネットワークは、前記ネットワーク失敗を指示する情報を提供したＰＬＭＮ（Ｐｕｂｌｉｃ  Ｌａｎｄ  Ｍｏｂｉｌｅ  Ｎｅｔｗｏｒｋ）であってもよい。
【０００９】
前記第２ネットワークの選択は、前記ネットワーク失敗を指示する情報を提供したＰＬＭＮ及びＲＡＴ（Ｒａｄｉｏ  Ａｃｃｅｓｓ  Ｔｅｃｈｎｏｌｏｇｙ）の組み合わせを除いた候補の中から、ＲＡＴ又はＰＬＭＮの一つ以上を選択するように行われてもよい。
【００１０】
前記方法は、前記第１ネットワークのネットワークノードに前記ＮＡＳシグナリング過程の要請に関する第２メッセージを送信することをさらに含んでもよい。
【００１１】
前記第１メッセージは、前記第２メッセージで要請した前記ＮＡＳシグナリング過程がネットワークによって許容されないことを表す拒絶メッセージであってもよい。
【００１２】
前記第２メッセージは、アタッチ要請メッセージ、ＴＡＵ（Ｔｒａｃｋｉｎｇ  Ａｒｅａ  Ｕｐｄａｔｅ）要請メッセージ、ＲＡＵ（Ｒｏｕｔｉｎｇ  Ａｒｅａ  Ｕｐｄａｔｅ）要請メッセージ、又はサービス要請メッセージのいずれか一つであってもよい。
【００１３】
前記第１メッセージは、アタッチ拒絶メッセージ、ＴＡＵ拒絶メッセージ、ＲＡＵ拒絶メッセージ、又はサービス拒絶メッセージのいずれか一つであってもよい。
【００１４】
前記方法は、前記第１メッセージが前記アタッチ拒絶メッセージ、前記ＴＡＵ拒絶メッセージ、又は前記ＲＡＵ拒絶メッセージのいずれか一つである場合、試みカウンターの値を上限値に設定することをさらに含んでもよい。
【００１５】
前記上限値は５であってもよい。
【００１６】
前記端末のアップデート状態が「アップデートされない」に設定されてもよい。
【００１７】
ＧＵＴＩ（Ｇｌｏｂａｌｌｙ  Ｕｎｉｑｕｅ  Ｔｅｍｐｏｒａｒｙ  Ｉｄｅｎｔｉｆｉｅｒ）、最後に訪問した登録されたＴＡＩ（Ｔｒａｃｋｉｎｇ  Ａｒｅａ  Ｉｄｅｎｔｉｔｙ）、ＫＳＩ（Ｋｅｙ  Ｓｅｔ  Ｉｄｅｎｔｉｆｉｅｒ）情報、又は均等な（ｅｑｕｉｖａｌｅｎｔ）ＰＬＭＮリストのうち一つ以上が削除されてもよい。
【００１８】
前記端末がＥＭＭ−ＤＥＲＥＧＩＳＴＥＲＥＤ．ＰＬＭＮ−ＳＥＡＲＣＨ状態に設定されてもよい。
【００１９】
前記端末によってＡ／Ｇｂモード又はＩｕモードが支援される場合、Ｐ−ＴＭＳＩ（Ｐａｃｋｅｔ  Ｔｅｍｐｏｒａｒｙ  Ｍｏｂｉｌｅ  Ｓｕｂｓｃｒｉｂｅｒ  Ｉｄｅｎｔｉｔｙ）、Ｐ−ＴＭＳＩシグネチャー（ｓｉｇｎａｔｕｒｅ）、ＲＡＩ（Ｒｏｕｔｉｎｇ  Ａｒｅａ  Ｉｄｅｎｔｉｔｙ）、又はＧＰＲＳ（Ｇｅｎｅｒａｌ  Ｐａｃｋｅｔ  Ｒａｄｉｏ  Ｓｅｒｖｉｃｅ）暗号化キーシーケンス番号のうち一つ以上が削除されてもよい。
【００２０】
前記ネットワークノードは、ＭＭＥ（Ｍｏｂｉｌｉｔｙ  Ｍａｎａｇｅｍｅｎｔ  Ｅｎｔｉｔｙ）であってもよい。
【００２１】
本発明について前述した一般的な説明と後述する詳細な説明は例示的なものであり、請求項記載の発明に関する追加的な説明のためのものである。
例えば、本願発明は以下の項目を提供する。
（項目１）
無線通信システムにおいて端末がＮＡＳ（Ｎｏｎ−Ａｃｃｅｓｓ  Ｓｔｒａｔｕｍ）シグナリング過程を行う方法であって、
第１ネットワークのネットワークノードからネットワーク失敗を指示する情報を含む第１メッセージを受信することと、
ネットワーク選択関連タイマーを起動させることと、
前記ネットワーク選択関連タイマーの動作中に、前記第１ネットワークを除いたネットワーク候補の中から第２ネットワークの選択を行うことと、
を含む、ＮＡＳシグナリング過程を行う方法。
（項目２）
前記第１ネットワークは、前記ネットワーク失敗を指示する情報を提供したＰＬＭＮ（Ｐｕｂｌｉｃ  Ｌａｎｄ  Ｍｏｂｉｌｅ  Ｎｅｔｗｏｒｋ）である、項目１に記載のＮＡＳシグナリング過程を行う方法。
（項目３）
前記第２ネットワークの選択は、前記ネットワーク失敗を指示する情報を提供したＰＬＭＮ及びＲＡＴ（Ｒａｄｉｏ  Ａｃｃｅｓｓ  Ｔｅｃｈｎｏｌｏｇｙ）の組み合わせを除いた候補の中から、ＲＡＴ又はＰＬＭＮの一つ以上を選択するように行われる、項目１に記載のＮＡＳシグナリング過程を行う方法。
（項目４）
前記第１ネットワークのネットワークノードに前記ＮＡＳシグナリング過程の要請に関する第２メッセージを送信することをさらに含む、項目１に記載のＮＡＳシグナリング過程を行う方法。
（項目５）
前記第１メッセージは、前記第２メッセージで要請した前記ＮＡＳシグナリング過程がネットワークによって許容されないことを表す拒絶メッセージである、項目４に記載のＮＡＳシグナリング過程を行う方法。
（項目６）
前記第２メッセージは、アタッチ要請メッセージ、ＴＡＵ（Ｔｒａｃｋｉｎｇ  Ａｒｅａ  Ｕｐｄａｔｅ）要請メッセージ、ＲＡＵ（Ｒｏｕｔｉｎｇ  Ａｒｅａ  Ｕｐｄａｔｅ）要請メッセージ、又はサービス要請メッセージのいずれか一つである、項目４に記載のＮＡＳシグナリング過程を行う方法。
（項目７）
前記第１メッセージは、アタッチ拒絶メッセージ、ＴＡＵ拒絶メッセージ、ＲＡＵ拒絶メッセージ、又はサービス拒絶メッセージのいずれか一つである、項目１に記載のＮＡＳシグナリング過程を行う方法。
（項目８）
前記第１メッセージが前記アタッチ拒絶メッセージ、前記ＴＡＵ拒絶メッセージ、又は前記ＲＡＵ拒絶メッセージのいずれか一つである場合に、試みカウンターの値を上限値に設定することをさらに含む、項目７に記載のＮＡＳシグナリング過程を行う方法。
（項目９）
前記上限値は５である、項目８に記載のＮＡＳシグナリング過程を行う方法。
（項目１０）
前記端末のアップデート状態が「アップデートされない」に設定される、項目１に記載のＮＡＳシグナリング過程を行う方法。
（項目１１）
ＧＵＴＩ（Ｇｌｏｂａｌｌｙ  Ｕｎｉｑｕｅ  Ｔｅｍｐｏｒａｒｙ  Ｉｄｅｎｔｉｆｉｅｒ）、最後に訪問した登録されたＴＡＩ（Ｔｒａｃｋｉｎｇ  Ａｒｅａ  Ｉｄｅｎｔｉｔｙ）、ＫＳＩ（Ｋｅｙ  Ｓｅｔ  Ｉｄｅｎｔｉｆｉｅｒ）情報、又は均等な（ｅｑｕｉｖａｌｅｎｔ）ＰＬＭＮリストのうち一つ以上が削除される、項目１に記載のＮＡＳシグナリング過程を行う方法。
（項目１２）
前記端末がＥＭＭ−ＤＥＲＥＧＩＳＴＥＲＥＤ．ＰＬＭＮ−ＳＥＡＲＣＨ状態に設定される、項目１に記載のＮＡＳシグナリング過程を行う方法。
（項目１３）
前記端末によってＡ／Ｇｂモード又はＩｕモードが支援される場合に、Ｐ−ＴＭＳＩ（Ｐａｃｋｅｔ  Ｔｅｍｐｏｒａｒｙ  Ｍｏｂｉｌｅ  Ｓｕｂｓｃｒｉｂｅｒ  Ｉｄｅｎｔｉｔｙ）、Ｐ−ＴＭＳＩシグネチャー（ｓｉｇｎａｔｕｒｅ）、ＲＡＩ（Ｒｏｕｔｉｎｇ  Ａｒｅａ  Ｉｄｅｎｔｉｔｙ）、又はＧＰＲＳ（Ｇｅｎｅｒａｌ  Ｐａｃｋｅｔ  Ｒａｄｉｏ  Ｓｅｒｖｉｃｅ）暗号化キーシーケンス番号のうち一つ以上が削除される、項目１に記載のＮＡＳシグナリング過程を行う方法。
（項目１４）
前記ネットワークノードは、ＭＭＥ（Ｍｏｂｉｌｉｔｙ  Ｍａｎａｇｅｍｅｎｔ  Ｅｎｔｉｔｙ）である、項目１に記載のＮＡＳシグナリング過程を行う方法。
（項目１５）
無線通信システムにおいてＮＡＳ（Ｎｏｎ−Ａｃｃｅｓｓ  Ｓｔｒａｔｕｍ）シグナリング過程を行う端末装置であって、
送受信モジュールと、
プロセッサと、
を備え、
前記プロセッサは、
第１ネットワークのネットワークノードからネットワーク失敗を指示する情報を含む第１メッセージを前記送受信モジュールを介して受信し、
ネットワーク選択関連タイマーを起動させ、
前記ネットワーク選択関連タイマーの動作中に、前記第１ネットワークを除いたネットワーク候補の中から第２ネットワークの選択を行うように設定される、ＮＡＳシグナリング過程を行う端末装置。
【発明の効果】
【００２２】
本発明ではＮＡＳシグナリング過程で下位層失敗又はネットワーク失敗によってＮＡＳシグナリング要請が失敗又は拒絶される場合における効率的な処理方法及び装置を提供することができる。
【００２３】
本発明から得られる効果は、以上に言及した効果に制限されず、言及していない他の効果は、下の記載から、本発明の属する技術の分野における通常の知識を有する者には明確に理解されるであろう。
【図面の簡単な説明】
【００２４】
本明細書に添付する図面は、本発明に関する理解を提供するためのもので、本発明の様々な実施の形態を示し、且つ明細書の記載と共に本発明の原理を説明するためのものである。
【図１】図１は、ＥＰＣ（Ｅｖｏｌｖｅｄ  Ｐａｃｋｅｔ  Ｃｏｒｅ）を含むＥＰＳ（Ｅｖｏｌｖｅｄ  Ｐａｃｋｅｔ  Ｓｙｓｔｅｍ）の概略的な構造を示す図である。
【図２】図２は、ＵＥ、ｅＮＢ及びＭＭＥ間のインターフェースに対する制御プレーンを示す図である。
【図３】図３は、アタッチ過程を説明するための図である。
【図４】図４は、ＴＡＵ過程を説明するための図である。
【図５】図５は、サービス要請過程を説明するための図である。
【図６】図６は、本発明の一例に係るＮＡＳシグナリング過程を行う方法を説明するためのフローチャートである。
【図７】図７は、本発明の一例に係る端末装置の好適な実施例の構成を示す図である。
【発明を実施するための形態】
【００２５】
以下の実施例は本発明の構成要素と特徴を所定の形態に結合したものである。各構成要素又は特徴は特別な言及がない限り選択的なものとして考慮することができる。各構成要素又は特徴は、他の構成要素や特徴と結合していない形態で実施されてもよく、一部構成要素及び／又は特徴が結合して本発明の実施例を構成してもよい。本発明の実施例で説明される動作の順序は変更されてもよい。ある実施例の一部構成や特徴は他の実施例に含まれてもよく、又は、他の実施例の対応する構成又は特徴に取って代わってもよい。
【００２６】
以下の説明で使われる特定用語は、本発明の理解を助けるために提供されたものであり、このような特定用語の使用は、本発明の技術的思想から逸脱しない範囲で他の形態に変更されてもよい。
【００２７】
場合によって、本発明の概念が曖昧になることを避けるために公知の構造及び装置を省略したり、各構造及び装置の核心機能を中心にしたブロック図の形式で図示してもよい。また、本明細書全体を通じて同一の構成要素には同一の図面符号を付して説明する。
【００２８】
本発明の実施例はＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２系列システム、３ＧＰＰシステム、３ＧＰＰ  ＬＴＥ、ＬＴＥ−Ａシステム、及び３ＧＰＰ２システムの少なくとも一つに関して開示された標準文書によってサポートすることができる。すなわち、本発明の実施例において、本発明の技術的思想を明確にするために説明していない段階又は部分は、上記の文書によって裏付けることができる。また、本文書で開示している用語はいずれも上記の標準文書によって説明することができる。
【００２９】
様々な無線通信システムで以下の技術を用いることができる。明確性のために以下では３ＧＰＰ  ＬＴＥ及び３ＧＰＰ  ＬＴＥ−Ａシステムを中心に説明するが、本発明の技術的思想がこれに制限されるものではない。
【００３０】
本文書で使われる用語は、次のように定義される。
【００３１】
−  ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）：３ＧＰＰによって開発された、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎ）ベースの３世代（Ｇｅｎｅｒａｔｉｏｎ）移動通信技術。
【００３２】
−  ＥＰＳ（Ｅｖｏｌｖｅｄ  Ｐａｃｋｅｔ  Ｓｙｓｔｅｍ）：ＩＰベースのパケット交換コアネットワーク（ｐａｃｋｅｔ  ｓｗｉｔｃｈｅｄ  ｃｏｒｅ  ｎｅｔｗｏｒｋ）であるＥＰＣ（Ｅｖｏｌｖｅｄ  Ｐａｃｋｅｔ  Ｃｏｒｅ）と、ＬＴＥ、ＵＴＲＡＮなどのアクセスネットワークとで構成されたネットワークシステム。ＵＭＴＳが進化した形態のネットワークである。
【００３３】
−  ＮｏｄｅＢ：ＧＥＲＡＮ／ＵＴＲＡＮの基地局。屋外に設置し、カバレッジはマクロセル（ｍａｃｒｏ  ｃｅｌｌ）規模である。
【００３４】
−  ｅＮｏｄｅＢ：ＬＴＥの基地局。屋外に設置し、カバレッジはマクロセル規模である。
【００３５】
−  ＨＮＢ（Ｈｏｍｅ  ＮｏｄｅＢ）：ＵＴＲＡＮ（ＵＭＴＳ  Ｔｅｒｒｅｓｔｒｉａｌ  Ｒａｄｉｏ  Ａｃｃｅｓｓ  Ｎｅｔｗｏｒｋ）カバレッジを提供するＣＰＥ（Ｃｕｓｔｏｍｅｒ  Ｐｒｅｍｉｓｅｓ  Ｅｑｕｉｐｍｅｎｔ）。より具体的な事項については標準文書ＴＳ２５．４６７を参照すればよい。
【００３６】
−  ＨｅＮＢ（Ｈｏｍｅｅ  ＮｏｄｅＢ）：Ｅ−ＵＴＲＡＮ（Ｅｖｏｌｖｅｄ−ＵＴＲＡＮ）カバレッジを提供するＣＰＥ。より具体的な事項については標準文書ＴＳ３６．３００を参照すればよい。
【００３７】
−  ＵＥ（Ｕｓｅｒ  Ｅｑｕｉｐｍｅｎｔ）：ユーザ機器。ＵＥは、端末（ｔｅｒｍｉｎａｌ）、ＭＥ（Ｍｏｂｉｌｅ  Ｅｑｕｉｐｍｅｎｔ）、ＭＳ（Ｍｏｂｉｌｅ  Ｓｔａｔｉｏｎ）などと呼ぶこともできる。また、ＵＥはノートパソコン、携帯電話、ＰＤＡ（Ｐｅｒｓｏｎａｌ  Ｄｉｇｉｔａｌ  Ａｓｓｉｓｔａｎｔ）、スマートフォン、マルチメディア機器などのような携帯可能な機器であってもよく、又はＰＣ（Ｐｅｒｓｏｎａｌ  Ｃｏｍｐｕｔｅｒ）、車両搭載装置のような携帯できない機器であってもよい。ＵＥは、ＬＴＥのような３ＧＰＰスペクトル（ｓｐｅｃｔｒｕｍ）及び／又はＷｉＦｉ、公共安全（Ｐｕｂｌｉｃ  Ｓａｆｅｔｙ）用スペクトルのような非−３ＧＰＰスペクトルで通信できるＵＥである。
【００３８】
−  ＲＡＮ（Ｒａｄｉｏ  Ａｃｃｅｓｓ  Ｎｅｔｗｏｒｋ）：３ＧＰＰネットワークにおいてＮｏｄｅＢ、ｅＮｏｄｅＢ及びこれらを制御するＲＮＣ（Ｒａｄｉｏ  Ｎｅｔｗｏｒｋ  Ｃｏｎｔｒｏｌｌｅｒ）を含む単位。ＵＥとコアネットワークとの間に存在し、コアネットワークへの接続を提供する。
【００３９】
−  ＭＭＥ（Ｍｏｂｉｌｉｔｙ  Ｍａｎａｇｅｍｅｎｔ  Ｅｎｔｉｔｙ）：移動性管理（Ｍｏｂｉｌｉｔｙ  Ｍａｎａｇｅｍｅｎｔ；ＭＭ）、セッション管理（Ｓｅｓｓｉｏｎ  Ｍａｎａｇｅｍｅｎｔ；ＳＭ）機能を行うＥＰＳネットワークのネットワークノード。
【００４０】
−  ＨＬＲ（Ｈｏｍｅ  Ｌｏｃａｔｉｏｎ  Ｒｅｇｉｓｔｅｒ）／ＨＳＳ（Ｈｏｍｅ  Ｓｕｂｓｃｒｉｂｅｒ  Ｓｅｒｖｅｒ）：３ＧＰＰネットワーク内の加入者情報を有しているデータベース。ＨＳＳは、設定記憶（ｃｏｎｆｉｇｕｒａｔｉｏｎ  ｓｔｏｒａｇｅ）、アイデンティティ管理（ｉｄｅｎｔｉｔｙ  ｍａｎａｇｅｍｅｎｔ）、ユーザ状態記憶などの機能を果たすことができる。
【００４１】
−  ＰＤＮ−ＧＷ（Ｐａｃｋｅｔ  Ｄａｔａ  Ｎｅｔｗｏｒｋ−Ｇａｔｅｗａｙ）／ＰＧＷ：ＵＥ  ＩＰアドレス割当、パケットスクリーニング（ｓｃｒｅｅｎｉｎｇ）及びフィルタリング、課金データ集合（ｃｈａｒｇｉｎｇ  ｄａｔａ  ｃｏｌｌｅｃｔｉｏｎ）機能などを担うＥＰＳネットワークのネットワークノード。
【００４２】
−  ＳＧＷ（Ｓｅｒｖｉｎｇ  Ｇａｔｅｗａｙ）：移動性アンカー（ｍｏｂｉｌｉｔｙ  ａｎｃｈｏｒ）、パケットルーティング（ｒｏｕｔｉｎｇ）、遊休（ｉｄｌｅ）モードパケットバッファリング、ＭＭＥがＵＥをページングするようにトリガリングする機能などを担うＥＰＳネットワークのネットワークノード。
【００４３】
−  ＰＣＲＦ（Ｐｏｌｉｃｙ  ａｎｄ  Ｃｈａｒｇｉｎｇ  Ｒｕｌｅ  Ｆｕｎｃｔｉｏｎ）：サービスフロー別に差別化されたＱｏＳ（Ｑｕａｌｉｔｙ  ｏｆ  Ｓｅｒｖｉｃｅ）及び課金政策を動的（ｄｙｎａｍｉｃ）に適用するための政策決定（Ｐｏｌｉｃｙ  ｄｅｃｉｓｉｏｎ）を行うＥＰＳネットワークのノード。
【００４４】
−  ＯＭＡＤＭ（Ｏｐｅｎ  Ｍｏｂｉｌｅ  Ａｌｌｉａｎｃｅ  Ｄｅｖｉｃｅ  Ｍａｎａｇｅｍｅｎｔ）：携帯電話、ＰＤＡ、携帯用コンピュータなどのようなモバイルデバイス管理のためにデザインされたプロトコルであり、デバイス設定（ｃｏｎｆｉｇｕｒａｔｉｏｎ）、ファームウェアアップグレード（ｆｉｒｍｗａｒｅ  ｕｐｇｒａｄｅ）、エラー報告（Ｅｒｒｏｒ  Ｒｅｐｏｒｔ）などの機能を担う。
【００４５】
−  ＯＡＭ（Ｏｐｅｒａｔｉｏｎ  Ａｄｍｉｎｉｓｔｒａｔｉｏｎ  ａｎｄ  Ｍａｉｎｔｅｎａｎｃｅ）：ネットワーク欠陥表示、性能情報、データ及び診断機能などを提供するネットワーク管理機能集合。
【００４６】
−  ＮＡＳ（Ｎｏｎ−Ａｃｃｅｓｓ  Ｓｔｒａｔｕｍ）：ＵＥとＭＭＥ間の制御プレーン（ｃｏｎｔｒｏｌ  ｐｌａｎｅ）の上位の層（ｓｔｒａｔｕｍ）。ＬＴＥ／ＵＭＴＳプロトコルスタックにおいてＵＥとコアネットワーク間のシグナリング、トラフィックメッセージをやり取りするための機能的な層であり、ＵＥの移動性を支援し、ＵＥとＰＤＮＧＷ間のＩＰ接続を確立（ｅｓｔａｂｌｉｓｈ）及び維持するセッション管理手順を支援することを主な機能とする。
【００４７】
−  ＮＡＳ設定ＭＯ（ＮＡＳ  ｃｏｎｆｉｇｕｒａｔｉｏｎ  Ｍａｎａｇｅｍｅｎｔ  Ｏｂｊｅｃｔ）：ＮＡＳ機能（Ｆｕｎｃｔｉｏｎａｌｉｔｙ）に関連したパラメータをＵＥに設定（ｃｏｎｆｉｇｕｒａｔｉｏｎ）するために使用する管理客体（ＭＯ）。
【００４８】
−  ＰＤＮ（Ｐａｃｋｅｔ  Ｄａｔａ  Ｎｅｔｗｏｒｋ）：特定サービスを支援するサーバー（例えば、ＭＭＳ（Ｍｕｌｔｉｍｅｄｉａ  Ｍｅｓｓａｇｉｎｇ  Ｓｅｒｖｉｃｅ）サーバー、ＷＡＰ（Ｗｉｒｅｌｅｓｓ  Ａｐｐｌｉｃａｔｉｏｎ  Ｐｒｏｔｏｃｏｌ）サーバーなど）が位置しているネットワーク。
【００４９】
−  ＰＤＮ接続：一つのＩＰアドレス（一つのＩＰｖ４アドレス及び／又は一つのＩＰｖ６プレフィクス）で表現される、ＵＥとＰＤＮ間の論理的な接続。
【００５０】
−  ＡＰＮ（Ａｃｃｅｓｓ  Ｐｏｉｎｔ  Ｎａｍｅ）：ＰＤＮを指したり区別する文字列。要請したサービスやネットワーク（ＰＤＮ）に接続するためには該当のＰＧＷを経由するが、このＰＧＷを探索できるようにネットワーク内であらかじめ定義した名前（文字列）。例えば、ＡＰＮをｉｎｔｅｒｎｅｔ．ｍｎｃ０１２．ｍｃｃ３４５．ｇｐｒｓと表現すことができる。
【００５１】
−  ＡＳ（Ａｃｃｅｓｓ−Ｓｔｒａｔｕｍ）：ＵＥと無線ネットワーク（ｒａｄｉｏ  ｎｅｔｗｏｒｋ）又はＵＥとアクセスネットワーク（ａｃｃｅｓｓ  ｎｅｔｗｏｒｋ）間のプロトコルスタックを含み、データ及びネットワーク制御信号送信などを担当する層。
【００５２】
−  下位層失敗（Ｌｏｗｅｒ  ｌａｙｅｒ  ｆａｉｌｕｒｅ）：ＡＳレベルで修正できない失敗であり、ＡＳによってＮＡＳに報告される。ＡＳが下位層失敗についてＮＡＳに知らせる場合、ＮＡＳシグナリング接続を使用することができない。
【００５３】
−  ＰＬＭＮ（Ｐｕｂｌｉｃ  Ｌａｎｄ  Ｍｏｂｉｌｅ  Ｎｅｔｗｏｒｋ）：個人に移動通信サービスを提供する目的で構成したネットワーク。オペレータ別に区別して構成することができる。
【００５４】
（ＥＰＣ（Ｅｖｏｌｖｅｄ  Ｐａｃｋｅｔ  Ｃｏｒｅ））
図１は、ＥＰＣの概略的な構造を示す図である。
【００５５】
ＥＰＣは、３ＧＰＰ技術の性能を向上するためのＳＡＥ（Ｓｙｓｔｅｍ  Ａｒｃｈｉｔｅｃｔｕｒｅ  Ｅｖｏｌｕｔｉｏｎ）の核心的な要素である。ＳＡＥは、種々のネットワーク間の移動性を支援するネットワーク構造を決定する研究課題に該当する。ＳＡＥは、例えば、ＩＰベースに様々な無線接続技術を支援し、より向上したデータ送信能力を提供するなどの最適化したパケットベースのシステムを提供することを目標とする。
【００５６】
具体的に、ＥＰＣは３ＧＰＰ  ＬＴＥシステムのためのＩＰ移動通信システムのコアネットワーク（Ｃｏｒｅ  Ｎｅｔｗｏｒｋ）であり、パケットベースの実時間及び非実時間サービスを支援することができる。既存の移動通信システム（すなわち、２世代又は３世代移動通信システム）では音声のためのＣＳ（Ｃｉｒｃｕｉｔ−Ｓｗｉｔｃｈｅｄ）及びデータのためのＰＳ（Ｐａｃｋｅｔ−Ｓｗｉｔｃｈｅｄ）の２個の区別されるサブドメインを通じてコアネットワークの機能が具現された。しかし、３世代移動通信システムの進化である３ＧＰＰ  ＬＴＥシステムでは、ＣＳ及びＰＳのサブドメインが一つのＩＰドメインに単一化した。すなわち、３ＧＰＰ  ＬＴＥシステムでは、ＩＰ能力（ｃａｐａｂｉｌｉｔｙ）を持つ端末と端末間の接続をＩＰベースの基地局（例えば、ｅＮｏｄｅＢ（ｅｖｏｌｖｅｄ  ＮｏｄｅＢ））、ＥＰＣ、アプリケーションドメイン（例えば、ＩＭＳ）を通じて構成することができる。すなわち、ＥＰＣは端−対−端（ｅｎｄ−ｔｏ−ｅｎｄ）ＩＰサービス具現に必須な構造である。
【００５７】
ＥＰＣは様々な構成要素を含むことができ、図１では、その一部に該当する、ＳＧＷ（Ｓｅｒｖｉｎｇ  Ｇａｔｅｗａｙ）、ＰＤＮＧＷ（Ｐａｃｋｅｔ  Ｄａｔａ  Ｎｅｔｗｏｒｋ  Ｇａｔｅｗａｙ）、ＭＭＥ（Ｍｏｂｉｌｉｔｙ  Ｍａｎａｇｅｍｅｎｔ  Ｅｎｔｉｔｙ）、ＳＧＳＮ（Ｓｅｒｖｉｎｇ  ＧＰＲＳ（Ｇｅｎｅｒａｌ  Ｐａｃｋｅｔ  Ｒａｄｉｏ  Ｓｅｒｖｉｃｅ）Ｓｕｐｐｏｒｔｉｎｇ  Ｎｏｄｅ）、ｅＰＤＧ（ｅｎｈａｎｃｅｄ  Ｐａｃｋｅｔ  Ｄａｔａ  Ｇａｔｅｗａｙ）を示す。
【００５８】
ＳＧＷは、無線接続ネットワーク（ＲＡＮ）とコアネットワーク間の境界点として動作し、ｅＮｏｄｅＢとＰＤＮＧＷ間のデータ経路を維持する機能を担う要素である。また、端末がｅＮｏｄｅＢによってサービング（ｓｅｒｖｉｎｇ）される領域にわたって移動する場合、ＳＧＷはローカル移動性アンカーポイント（ａｎｃｈｏｒ  ｐｏｉｎｔ）の役割を担う。すなわち、Ｅ−ＵＴＲＡＮ（３ＧＰＰリリース−８以降で定義されるＥｖｏｌｖｅｄ−ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）  Ｔｅｒｒｅｓｔｒｉａｌ  Ｒａｄｉｏ  Ａｃｃｅｓｓ  Ｎｅｔｗｏｒｋ）内での移動性のためにＳＧＷを介してパケットをルーティングすることができる。また、ＳＧＷは他の３ＧＰＰネットワーク（３ＧＰＰリリース−８の前に定義されるＲＡＮ、例えば、ＵＴＲＡＮ又はＧＥＲＡＮ（ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎ）／ＥＤＧＥ（Ｅｎｈａｎｃｅｄ  Ｄａｔａ  ｒａｔｅｓ  ｆｏｒ  Ｇｌｏｂａｌ  Ｅｖｏｌｕｔｉｏｎ）  Ｒａｄｉｏ  Ａｃｃｅｓｓ  Ｎｅｔｗｏｒｋ）との移動性のためのアンカーポイントとして機能することもできる。
【００５９】
ＰＤＮＧＷは、パケットデータネットワークに向かうデータインターフェースの終了点（ｔｅｒｍｉｎａｔｉｏｎ  ｐｏｉｎｔ）に該当する。ＰＤＮ  ＧＷは政策執行特徴（ｐｏｌｉｃｙ  ｅｎｆｏｒｃｅｍｅｎｔ  ｆｅａｔｕｒｅｓ）、パケットフィルタリング（ｐａｃｋｅｔ  ｆｉｌｔｅｒｉｎｇ）、課金支援（ｃｈａｒｇｉｎｇ  ｓｕｐｐｏｒｔ）などを支援することができる。また、３ＧＰＰネットワークと非−３ＧＰＰ（ｎｏｎ−３ＧＰＰ）ネットワーク（例えば、Ｉ−ＷＬＡＮ（Ｉｎｔｅｒｗｏｒｋｉｎｇ  Ｗｉｒｅｌｅｓｓ  Ｌｏｃａｌ  Ａｒｅａ  Ｎｅｔｗｏｒｋ）のような信頼されないネットワーク、ＣＤＭＡ（Ｃｏｄｅ  Ｄｉｖｉｓｉｏｎ  Ｍｕｌｔｉｐｌｅ  Ａｃｃｅｓｓ）ネットワークやＷｉＭａｘのような信頼されるネットワーク）との移動性管理のためのアンカーポイントの役割を担うことができる。
【００６０】
図１のネットワーク構造の例示では、ＳＧＷとＰＤＮ  ＧＷを別のゲートウェイとしているが、両ゲートウェイを単一ゲートウェイ構成オプション（Ｓｉｎｇｌｅ  Ｇａｔｅｗａｙ  Ｃｏｎｆｉｇｕｒａｔｉｏｎ  Ｏｐｔｉｏｎ）によって構成することもできる。
【００６１】
ＭＭＥは、ＵＥのネットワーク接続に対するアクセス、ネットワークリソースの割当、トラッキング（ｔｒａｃｋｉｎｇ）、ページング（ｐａｇｉｎｇ）、ローミング（ｒｏａｍｉｎｇ）及びハンドオーバーなどを支援するためのシグナリング及び制御機能を行う要素である。ＭＭＥは加入者及びセッション管理に関連した制御プレーン機能を制御する。ＭＭＥは多数のｅＮｏｄｅＢを管理し、他の２Ｇ／３Ｇネットワークへのハンドオーバーのための従来のゲートウェイの選択のためのシグナリングを行う。また、ＭＭＥは、保安過程（Ｓｅｃｕｒｉｔｙ  Ｐｒｏｃｅｄｕｒｅｓ）、端末−対−ネットワークセッションハンドリング（Ｔｅｒｍｉｎａｌ−ｔｏ−ｎｅｔｗｏｒｋ  Ｓｅｓｓｉｏｎ  Ｈａｎｄｌｉｎｇ）、遊休端末位置決定管理（Ｉｄｌｅ  Ｔｅｒｍｉｎａｌ  Ｌｏｃａｔｉｏｎ  Ｍａｎａｇｅｍｅｎｔ）などの機能を担う。
【００６２】
ＳＧＳＮは、他の３ＧＰＰネットワーク（例えば、ＧＰＲＳネットワーク）に対するユーザの移動性管理及び認証（ａｕｔｈｅｎｔｉｃａｔｉｏｎ）のような全てのパケットデータをハンドリングする。
【００６３】
ｅＰＤＧは、信頼されない非−３ＧＰＰネットワーク（例えば、Ｉ−ＷＬＡＮ、ＷｉＦｉホットスポット（ｈｏｔｓｐｏｔ）など）に対する保安ノードとして機能する。
【００６４】
図１を参照して説明したように、ＩＰ能力を持つ端末は、３ＧＰＰアクセスの他、非−３ＧＰＰアクセスに基づいても、ＥＰＣ内の様々な要素を経由して事業者（すなわち、オペレータ（ｏｐｅｒａｔｏｒ））が提供するＩＰサービスネットワーク（例えば、ＩＭＳ）にアクセスすることができる。
【００６５】
また、図１では、様々なレファレンスポイント（例えば、Ｓ１−Ｕ、Ｓ１−ＭＭＥなど）を示す。３ＧＰＰシステムではＥ−ＵＴＲＡＮ及びＥＰＣにおける異なった機能個体（ｆｕｎｃｔｉｏｎａｌ  ｅｎｔｉｔｙ）に存在する２個の機能を接続する概念的なリンクをレファレンスポイント（ｒｅｆｅｒｅｎｃｅ  ｐｏｉｎｔ）と定義する。次の表１は、図１に示したレファレンスポイントを整理したものである。表１の例示の他にも、ネットワーク構造によって様々なレファレンスポイントが存在してもよい。
【００６６】
【表１】
0005998228.tif 000002
図１に示すレファレンスポイントのうちＳ２ａ及びＳ２ｂは、非−３ＧＰＰインターフェースに該当する。Ｓ２ａは、信頼される非−３ＧＰＰアクセス及びＰＤＮ  ＧＷ間の関連制御及び移動性支援をユーザプレーンに提供するレファレンスポイントである。Ｓ２ｂは、ｅＰＤＧ及びＰＤＮ  ＧＷ間の関連制御及び移動性支援をユーザプレーンに提供するレファレンスポイントである。
【００６７】
図２は、ＵＥ、ｅＮＢ及びＭＭＥ間のインターフェースに対する制御プレーンを示す図である。
【００６８】
ＭＭＥは、接続を試みるＵＥに対して接続制御を行うことができ、そのために用いられるインターフェース及びプロトコルスタック（ｐｒｏｔｏｃｏｌ  ｓｔａｃｋ）は図２のようになる。図２に示すインターフェースのうち、ＵＥとｅＮＢ間の制御プレーンインターフェースはＬＴＥ−Ｕｕと定義されており、ｅＮＢとＭＭＥ間の制御プレーンインターフェースはＳ１−ＭＭＥと定義されている。
【００６９】
ＮＡＳプロトコルはＵＥとＭＭＥ間の制御プレーンで最上位層（ｈｉｇｈｅｓｔ  ｓｔｒａｔｕｍ）を形成する。ＮＡＳプロトコルはＵＥの移動性管理及びセッション管理過程を支援して、ＵＥとＰＤＮ  ＧＷ間のＩＰ接続性を確立及び維持させることができる。また、ＮＡＳプロトコルは、システム間移動性においてパラメータのマップのための規則を定義し、ＮＡＳシグナリングメッセージの暗号化及び完全性保護（ｉｎｔｅｇｒｉｔｙ  ｐｒｏｔｅｃｔｉｏｎ）などを用いてＮＡＳ保安を提供することができる。
【００７０】
ＥＭＭ（ＥＰＳ  Ｍｏｂｉｌｉｔｙ  Ｍａｎａｇｅｍｅｎｔ）特定過程は、アタッチ過程（ａｔｔａｃｈ  ｐｒｏｃｅｄｕｒｅ）、デタッチ（ｄｅｔａｃｈ）過程、ＴＡＵ（Ｔｒａｃｋｉｎｇ  Ａｒｅａ  Ｕｐｄａｔｉｎｇ）過程を含むことができる。ＥＭＭ接続管理過程はサービス要請（ｓｅｒｖｉｃｅ  ｒｅｑｕｅｓｔ）過程などを含むことができる。
【００７１】
図３は、アタッチ過程を説明するための図である。
【００７２】
アタッチ過程は、ＵＥがＥＰＳのパケットサービスのためにＥＰＣにアタッチするために用いる。アタッチ過程は、ＰＳモードで動作するＵＥがＥＰＳサービスにアタッチするために、ＣＳ／ＰＳモードで動作するＵＥがＥＰＳ及び非−ＥＰＳサービスの両方のためにアタッチするために、又は緊急（ｅｍｅｒｇｅｎｃｙ）ベアラサービスのためにアタッチする場合のために用いることができる。
【００７３】
図３（ａ）を参照すると、ＥＭＭ未登録（ｄｅｒｅｇｉｓｔｅｒ）状態にあるＵＥは、アタッチ要請（ａｔｔａｃｈ  ｒｅｑｕｅｓｔ）メッセージをＭＭＥに送信することによってアタッチ過程を開始することができる。ＵＥは、アタッチ要請メッセージにＥＰＳ移動性識別情報を含めることもできる。アタッチ要請がネットワークで許容される場合に、ＭＭＥは、アタッチ許容（ａｔｔａｃｈ  ａｃｃｅｐｔ）メッセージをＵＥに送信することができる。これに加えて、ＭＭＥは、ＵＥがＥＰＳベアラコンテクスト活性化（ａｃｔｉｖａｔｉｏｎ）動作を行うようにする情報をＵＥに提供することができる。ＵＥがアタッチ許容メッセージをＭＭＥから受信し、ＥＰＳベアラコンテクストを活性化するように指示された場合に、ＵＥはアタッチ完了（ａｔｔａｃｈ  ｃｏｍｐｌｅｔｅ）メッセージをＭＭＥに送信することができる。
【００７４】
図３（ｂ）を参照すると、ＵＥがアタッチ要請メッセージをＭＭＥに送信したが、アタッチ要請がネットワークで許容されない場合に、ＭＭＥはアタッチ拒絶（ａｔｔａｃｈ  ｒｅｊｅｃｔ）メッセージをＵＥに送信することができる。アタッチ拒絶メッセージにはその理由を指示する値を含めることができる。
【００７５】
図４は、ＴＡＵ過程を説明するための図である。
【００７６】
ＴＡＵは常にＵＥによって開始され、ＵＥの実際トラッキング領域（ｔｒａｃｋｉｎｇ  ａｒｅａ）の登録をアップデートしたり、ＵＥの可用性（ａｖａｉｌａｂｉｌｉｔｙ）を周期的にネットワークに通知するための目的などのために用いることができる。
【００７７】
図４（ａ）を参照すると、ＥＭＭ登録（ｒｅｇｉｓｔｅｒｅｄ）状態にあるＵＥは、ＴＡＵ要請メッセージをＭＭＥに送信することによってＴＡＵ過程を開始することができる。例えば、ＵＥが以前に持っていたトラッキング領域リストに含まれていないトラッキング領域に進入（ｅｎｔｅｒ）したことを検出した場合に、ＴＡＵ過程を開始することができる。ＴＡＵ要請がネットワークによって許容される場合に、ＭＭＥはＴＡＵ許容メッセージをＵＥに送信することができる。仮に、ＭＭＥがＵＥに新しいＧＵＴＩ（Ｇｌｏｂａｌｌｙ  Ｕｎｉｑｕｅ  Ｔｅｍｐｏｒａｒｙ  Ｉｄｅｎｔｉｆｉｅｒ）を割り当てる場合には、当該ＧＵＴＩをＴＡＵ許容メッセージに含めることができる。ＧＵＴＩを含むＴＡＵ許容メッセージを受信したＵＥは、受信したＧＵＴＩに該当の確認応答のためにＴＡＵ完了メッセージをＭＭＥに送信することができる。
【００７８】
図４（ｂ）を参照すると、ＵＥがＴＡＵ要請メッセージをＭＭＥに送信したが、ＴＡＵ要請がネットワークで許容されない場合に、ＭＭＥはＴＡＵ拒絶メッセージをＵＥに送信することができる。ＴＡＵ拒絶メッセージにはその理由を指示する値を含めることができる。
【００７９】
図５は、サービス要請過程を説明するための図である。
【００８０】
サービス要請過程は、ＥＭＭ−ＩＤＬＥモードにあるＵＥをＥＭＭ−ＣＯＮＮＥＣＴＥＤモードに切り換え、上りリンクユーザデータ又はシグナリングが送信されるように無線ベアラ及びＳ１ベアラを確立するために用いることができる。また、サービス要請過程は、発信（Ｍｏｂｉｌｅ  Ｏｒｉｇｉｎａｔｅｄ；ＭＯ）／着信（Ｍｏｂｉｌｅ  Ｔｅｒｍｉｎａｔｅｄ；ＭＴ）ＣＳフォールバック（ＣＳＦＢ）などを動作させるために用いることができる。例えば、サービス要請過程は、ネットワークが送信する下りリンクシグナリングを有している場合、ＵＥが送信する上りリンクシグナリングを有している場合、ＵＥがＥＭＭ−ＩＤＬＥモードにあるが、ＵＥ又はネットワークが送信するユーザデータを有している場合などに用いることができる。
【００８１】
図５（ａ）を参照すると、ＵＥはサービス要請メッセージ又は拡張された（ｅｘｔｅｎｄｅｄ）サービス要請メッセージをＭＭＥに送信することによってサービス要請過程を開始することができる。（拡張された）サービス要請メッセージを受信したＭＭＥは、認証過程及び保安モード制御過程などを行うことができる。下位層（例えば、ＡＳ層）からユーザプレーン無線ベアラが設定されたという指示、システム変更に対する指示などを受信したＵＥは、このような指示を、サービス要請過程が成功的に完了したという指示として処理することができる。これによって、ＵＥはＥＭＭ−ＲＥＧＩＳＴＥＲＥＤ状態に入ることができる。
【００８２】
図５（ｂ）を参照すると、ＵＥが（拡張された）サービス要請メッセージをＭＭＥに送信したが、ネットワークでそれを許容しない場合に、ＭＭＥはＴＡＵサービス拒絶メッセージをＵＥに送信することができる。サービス拒絶メッセージには、その理由を指示する値を含めることができる。
【００８３】
前述したようなＮＡＳプロトコル（例えば、アタッチ過程、ＴＡＵ過程及び／又はサービス要請過程）において、下位層（例えば、ＡＳ）の失敗（ｆａｉｌｕｒｅ）又はネットワーク失敗によってＮＡＳシグナリング要請が失敗又は拒絶されることがある。これについて具体的に説明すると、下記のようになる。
【００８４】
アタッチ過程においては次のようなＵＥ側における非正常ケース（ａｂｎｏｒｍａｌ  ｃａｓｅ）を定義することができる。
【００８５】
ａ）アクセスクラス制限（ｂａｒｒｉｎｇ）又はネットワークによるＮＡＳシグナリング接続確立拒絶によってアクセスが制限される場合
「シグナリング（ｓｉｇｎａｌｉｎｇ）」に対してアクセスが制限される場合にアタッチ過程は開始されない。ＵＥは、現在サービングセルに留まって一般のセル再選択過程を適用することができる。アタッチ過程は、現在サービングセルにおいて「シグナリング」に対するアクセスが許容されたり、ＵＥが「シグナリング」に対するアクセスが許容されるセルに移動した場合に開始することができる。
【００８６】
ｂ）アタッチ許容メッセージ又はアタッチ拒絶メッセージを受信する前にＮＡＳシグナリング接続が解除されたり下位層失敗が発生する場合
アタッチ過程が中断し、ＵＥは以下の説明の通りに動作することができる。
【００８７】
ｃ）Ｔ３４１０がタイムアウトされた場合
Ｔ３４１０は、アタッチ要請メッセージが送信された場合に起動し、例えば、１５秒の長さに設定されてよい。ＵＥは、アタッチ過程を中断させ、以下の説明の通りに動作することができる。また、ＮＡＳシグナリング接続は解除される。
【００８８】
ｄ）アタッチ拒絶メッセージがＥＭＭ理由値＃３、＃６、＃８、＃１１、＃３５、＃１２、＃１３、＃１４、＃１５、＃２２、＃２５以外の理由値を含む場合と、ＥＭＭ理由値＃２２のときに、ＵＥが非正常のケースであると見なす場合
ＥＭＭ理由値＃１９「ＥＳＭ失敗（ＥＳＭ  ｆａｉｌｕｒｅ）」を受信すると、ＵＥがＮＡＳシグナリング低優先順位に設定されていない場合に、当該ＵＥはアタッチ試みカウンターを５に設定することができる。プロトコルエラーを表すＥＭＭ理由値（例えば、理由＃９５、＃９６、＃９７、＃９９及び＃１１１）を受信すると、ＵＥはアタッチ試みカウンターを５に設定しなければならない。ＵＥは以下の説明の通りに動作することができる。
【００８９】
ここで、ＥＭＭ理由値＃３は不正（ｉｌｌｅｇａｌ）ＵＥを指示し、＃６は不正ＭＥ（Ｍｏｂｉｌｅ  Ｅｑｕｉｐｍｅｎｔ）を指示し、＃７は、ＥＰＳサービスが許容されないことを指示し、＃８は、ＥＰＳサービス及び非−ＥＰＳサービスが許容されないことを指示し、＃１１は、許容されないＰＬＭＮであることを指示し、＃３５は、要請されたサービスオプションが該当のＰＬＭＮで認可（ａｕｔｈｏｒｉｚｅ）されないことを指示し、＃１２は、許容されないトラッキング領域であることを指示し、＃１３は該当のトラッキング領域でローミングが許容されないことを指示し、＃１４は該当のＰＬＭＮでＥＰＳサービスが許容されないことを指示し、＃１５はトラッキング領域で適切なセルがないことを指示し、＃２２は混雑状態を指示し、＃２５は該当のＣＳＧ（Ｃｌｏｓｅｄ  Ｓｕｂｓｃｒｉｂｅｒ  Ｇｒｏｕｐ）に対して認可されないことを指示する。これは、アタッチ要請がネットワークによって許容されない場合のＥＭＭ理由値の例示に該当する。
【００９０】
また、ＥＭＭ理由値＃２２のときに、ＵＥが非正常のケースであると見なす場合は、アタッチ拒絶メッセージ内に所定のタイマー（例えば、ＮＡＳレベルＭＭ混雑（ｃｏｎｇｅｓｔｉｏｎ）制御が活性化される場合に設定されるＭＭバックオフタイマーであるＴ３３４６、Ｔ３３４６の動作中には、ＭＭシグナリングは禁止されるのが一般的である。）の値が含まれ、その値が０でなく、非活性化されたものでもない場合以外の場合に該当する。
【００９１】
ｅ）新しいトラッキング領域へとセルを変更する場合
アタッチ過程が完了する前に新しいトラッキング領域へのセル変更が発生する場合、アタッチ過程は中断し、直ちに再−開始される。アタッチ許容メッセージを受信したが、アタッチ完了メッセージが送信される前にトラッキング領域境界を通過する場合、アタッチ過程は再−開始される。アタッチ過程の間にＧＵＴＩが割り当てられた場合、該ＧＵＴＩはアタッチ過程で用いられる。
【００９２】
ｆ）ＭＯ（Ｍｏｂｉｌｅ  Ｏｒｉｇｉｎａｔｅｄ）デタッチが要求される場合
アタッチ過程は中断し、ＵＥが開始したデタッチ過程が行われる。
【００９３】
ｇ）デタッチ過程が衝突（ｃｏｌｌｉｄｅ）する場合
ＥＭＭ−ＲＥＧＩＳＴＥＲＥＤ−ＩＮＩＴＩＡＴＥＤ状態にあるＵＥがデタッチ要請メッセージをネットワークから受信し、そのデタッチタイプが「再−アタッチが要求されない（ｒｅ−ａｔｔａｃｈ  ｎｏｔ  ｒｅｑｕｉｒｅｄ）」を指示する場合、デタッチ過程が進行され、アタッチ過程は中断するが、そうでない場合は、デタッチメッセージが無視され、アタッチ過程が進行される。
【００９４】
ｈ）下位層がアタッチ要請メッセージの送信の失敗を知らせる場合
ＵＥはアタッチ過程を再開始する。
【００９５】
ｉ）下位層がアタッチ完了メッセージの送信の失敗を知らせる場合
現在ＴＡＩ（Ｔｒａｃｋｉｎｇ  Ａｒｅａ  Ｉｄｅｎｔｉｔｙ）がＴＡＩリストに存在しない場合、ＵＥはアタッチ過程を再開始する。現在ＴＡＩがＴＡＩリストに存在する場合、現在継続中の過程を再び行うか否かはＵＥの具現によって決定することができる。ＥＭＭサブ層（ｓｕｂｌａｙｅｒ）はＥＳＭサブ層に、アタッチ完了のＥＳＭメッセージコンテナ情報要素内のＥＳＭメッセージの送信に失敗したことを知らせることができる。
【００９６】
ｊ）ＵＥ  ＥＳＭサブ層の失敗によってアタッチ許容と共に結合されたデフォルトベアラコンテクスト活性化要請メッセージがＵＥによって許容されない場合
ＵＥはネットワークにデタッチ要請メッセージを送信することによってデタッチ過程を開始する。追加的なＵＥ動作は具現によって決定することができる。
【００９７】
ｋ）下位層がＳ１０１モードからＳ１モードへのハンドオーバーが取り消されたことを知らせる場合（すなわち、Ｓ１０１モードオンリー）。
【００９８】
ＵＥはアタッチ過程を中断させ、ＥＭＭ−ＤＥＲＥＧＩＳＴＥＲＥＤ．ＮＯ−ＣＥＬＬ−ＡＶＡＩＬＡＢＬＥ状態に入る。
【００９９】
ｌ）下位層から「拡張された待機時間（ｅｘｔｅｎｄｅｄ  ｗａｉｔ  ｔｉｍｅ）」が指示される場合
ＵＥは、ＭＭバックオフタイマー（例えば、Ｔ３３４６）が動作中であれば、これを中断する。ＭＭバックオフタイマーは下位層によって提供された「拡張された待機時間」の値によって起動し、ＥＭＭ−ＤＥＲＥＧＩＳＴＥＲＥＤ．ＡＴＴＥＭＰＴＩＮＧ−ＴＯ−ＡＴＴＡＣＨ状態に変更される。ＵＥはアタッチ過程を中断させ、アタッチ試みカウンターをリセットし、現在サービングセルに留まって一般のセル再選択過程を行う。ＵＥは、以下の説明の通りに動作することができる。
【０１００】
ｍ）ＭＭバックオフタイマーＴ３３４６が動作中の場合
ＵＥは、緊急ベアラサービスのためにアタッチする必要がある場合を除けばアタッチ過程を開始しない。ＵＥは現在サービングセルに留まって一般のセル再選択過程を行う。
【０１０１】
ここで、タイマーＴ３３４６が非正常のケースによって起動したか、又は成功的でないケースによって起動したかとは別に、タイマーＴ３３４６が動作中にＵＥがアタッチ過程を開始する必要があると、非正常のケースであると見なすことができる。
【０１０２】
前述したケースｂ）、ｃ）及びｄ）においてＵＥは次のように動作する。アタッチ要請メッセージが送信される時に起動するタイマーＴ３４１０がまだ動作中であれば、それは中止される。アタッチ試みカウンターは、既に５に設定された場合を除いては、増加（ｉｎｃｒｅｍｅｎｔ）する。
【０１０３】
アタッチ試みカウンターが５未満の場合には、次のように動作する。前述したケースｌ）及びｍ）において、タイマーＴ３３４６が満了（ｅｘｐｉｒｅ）したり中止（ｓｔｏｐ）された場合、まだ必要な場合にはアタッチ過程が開始される。その他の全てのケースでは、タイマーＴ３４１１（すなわち、下位層失敗によるアタッチ失敗やＴＡＵ失敗の場合、又は非正常のケースでない他のＥＭＭ理由値でアタッチ拒絶又はＴＡＵ拒絶された場合などに起動し、アタッチ要請やＴＡＵ要請が送信された場合に中止されるタイマー）が起動し、ＥＭＭ−ＤＥＲＥＧＩＳＴＥＲＥＤ．ＡＴＴＥＭＰＴＩＮＧ−ＴＯ−ＡＴＴＡＣＨ状態に変更される。タイマーＴ３４１１が満了する場合、ＥＳＭサブ層によって依然として要求されるとアタッチ過程が再開始される。
【０１０４】
アタッチ試みカウンターが５の場合は次のように動作する。ＵＥは、ＧＵＴＩ、ＴＡＩリスト、最後に訪問した登録されたＴＡＩ、均等（ｅｑｕｉｖａｌｅｎｔ）ＰＬＭＮリスト及びＫＳＩ（Ｋｅｙ  Ｓｅｔ  Ｉｄｅｎｔｉｆｉｅｒ）が存在すると、それらを全て削除する。また、ＵＥはアップデート状態を「アップデートされない」（例えば、ＥＵ２）に設定し、タイマーＴ３４０２（すなわち、アタッチ失敗又はＴＡＵ失敗において試みカウンターの値が５の場合に起動し、アタッチ要請又はＴＡＵ要請が送信される場合に中止されるタイマー）を起動させる。状態はＥＭＭ−ＤＥＲＥＧＩＳＴＥＲＥＤ．ＡＴＴＥＭＰＴＩＮＧ−ＴＯ−ＡＴＴＡＣＨに変更されてもよく、又は他のオプションとしてＰＬＭＮ選択を行うためにＥＭＭ−ＤＥＲＥＧＩＳＴＥＲＥＤ．ＰＬＭＮ−ＳＥＡＲＣＨに変更されてもよい。
【０１０５】
ＵＥによってＡ／Ｇｂモード又はＩｕモード（すなわち、３ＧＰＰリリース−８以前のＧＥＲＡＮシステムで定義するコアネットワークにアクセスするためのインターフェースを用いるモード）が支援される場合、一般のアタッチ過程に失敗し、アタッチ試みカウンターが５の場合に、ＵＥは追加的にＲＡＩ（Ｒｏｕｔｉｎｇ  Ａｒｅａ  Ｉｄｅｎｔｉｔｙ）、Ｐ−ＴＭＳＩ（Ｐａｃｋｅｔ  Ｔｅｍｐｏｒａｒｙ  Ｍｏｂｉｌｅ  Ｓｕｂｓｃｒｉｂｅｒ  Ｉｄｅｎｔｉｔｙ）、Ｐ−ＴＳＭＩシグネチャー、均等ＰＬＭＮリスト及びＧＰＲＳ暗号化キーシーケンス番号が存在すると、それらを削除する。また、ＵＥはアップデート状態を、「アップデートされない」（例えば、ＧＵ２）に設定し、タイマーＴ３３０２（すなわち、ＧＰＲＳアタッチ失敗又はＲＡＵ（Ｒｏｕｔｉｎｇ  Ａｒｅａ  Ｕｐｄａｔｅ））失敗において試みカウンターの値が５以上の場合に起動し、ＧＰＲＳアタッチ要請又はＲＡＵ要請が送信される場合に中止されるタイマー）を起動させる。状態は、ＧＭＭ−ＤＥＲＥＧＩＳＴＥＲＥＤ．ＡＴＴＥＭＰＴＩＮＧ−ＴＯ−ＡＴＴＡＣＨに変更されてもよく、又は他のオプションとしてＰＬＭＮ選択を行うためにＧＭＭ−ＤＥＲＥＧＩＳＴＥＲＥＤ．ＰＬＭＮ−ＳＥＡＲＣＨに変更されてもよい。
【０１０６】
ＴＡＵ過程においては次のようなＵＥ側における非正常ケースを定義することができる。
【０１０７】
ａ）アクセスクラス制限（ｂａｒｒｉｎｇ）又はネットワークによるＮＡＳシグナリング接続確立拒絶によってアクセスが制限される場合
「シグナリング」に対してアクセスが制限される場合にＴＡＵ過程は開始されない。ＵＥは、現在サービングセルに留まって一般のセル再選択過程を適用することができる。ＴＡＵ過程は、例えば、現在サービングセルで「シグナリング」に対するアクセスが許容されたり、ＵＥが「シグナリング」に対するアクセスが許容されるセルに移動した場合に、そして依然として必要な場合に、開始することができる。
【０１０８】
ｂ）ＴＡＵ許容メッセージ又はＴＡＵ拒絶メッセージを受信する前にＮＡＳシグナリング接続が解除されたり下位層失敗が発生する場合
ＴＡＵ過程を中断させ、ＵＥは以下の説明の通りに動作することができる。
【０１０９】
ｃ）Ｔ３４３０がタイムアウトされた場合
Ｔ３４３０は、要請メッセージが送信された場合に起動し、例えば１５秒の長さに設定されてよい。ＵＥはＴＡＵ過程を中断させ、以下の説明の通りに動作することができる。また、ＮＡＳシグナリング接続は解除される。
【０１１０】
ｄ）ＴＡＵ拒絶メッセージがＥＭＭ理由値＃３、＃６、＃７、＃９、＃１０、＃１１、＃３５、＃１２、＃１３、＃１４、＃１５、＃２２、＃２５、＃４０以外の理由値を含む場合と、ＥＭＭ理由値＃２２のときに、ＵＥが非正常のケースであると見なす場合
プロトコルエラーを表すＥＭＭ理由値（例えば、理由＃９５、＃９６、＃９７、＃９９及び＃１１１）を受信すると、ＵＥはＴＡＵ試みカウンターを５に設定しなければならない。ＵＥは、以下の説明の通りに動作することができる。
【０１１１】
ここで、ＥＭＭ理由値＃３は不正（ｉｌｌｅｇａｌ）ＵＥを指示し、＃６は不正ＭＥを指示し、＃７は、ＥＰＳサービスが許容されないことを指示し、＃９は、ＵＥ識別情報がネットワークから誘導（ｄｅｒｉｖｅ）されないことを指示し、＃１０は黙示的に（ｉｍｐｌｉｃｉｔｌｙ）デタッチされたことを指示し、＃１１は、許容されないＰＬＭＮであることを指示し、＃３５は、要請されたサービスオプションが該当のＰＬＭＮで認可されないことを指示し、＃１２は、許容されないトラッキング領域であることを指示し、＃１３は、該当のトラッキング領域でローミングが許容されないことを指示し、＃１４は、該当のＰＬＭＮでＥＰＳサービスが許容されないことを指示し、＃１５は、トラッキング領域で適切なセルがないことを指示し、＃２２は混雑状態を指示し、＃２５は、該当のＣＳＧ（Ｃｌｏｓｅｄ  Ｓｕｂｓｃｒｉｂｅｒ  Ｇｒｏｕｐ）に対して認可されないことを指示し、＃４０は、活性化されたＥＰＳベアラコンテクストがないことを指示する。これらは、ＴＡＵ要請がネットワークによって許容されない場合のＥＭＭ理由値の例示に該当する。
【０１１２】
また、ＥＭＭ理由値＃２２のとき、ＵＥが非正常のケースであると見なす場合は、ＴＡＵ拒絶メッセージ内に所定のタイマー（例えば、ＮＡＳレベルＭＭ混雑（ｃｏｎｇｅｓｔｉｏｎ）制御が活性化される場合に設定されるＭＭバックオフタイマーであるＴ３３４６、Ｔ３３４６の動作中には、ＭＭシグナリングは禁止されるのが一般的である）の値が含まれ、その値が０でなく、非活性化されたものでもない場合以外の場合に該当する。
【０１１３】
ｅ）新しいトラッキング領域へとセルを変更する場合
ＴＡＵ過程が完了する前に新しいトラッキング領域へのセル変更が発生する場合、ＴＡＵ過程は中断し、直ちに再−開始される。ＵＥはＥＰＳアップデート状態を「アップデートされない」（例えば、ＥＵ２）に設定する。
【０１１４】
ｆ）ＴＡＵとデタッチ過程が衝突する場合
ＵＥがデタッチ要請メッセージを受信する場合に、そのデタッチタイプが「ＨＳＳでＩＭＳＩが知られない旨（ＩＭＳＩ  ｕｎｋｎｏｗｎ  ｉｎ  ＨＳＳ）」を指示するＥＭＭ理由値＃２以外のＥＭＭ理由値を有する「再−アタッチが要求されない」を指示する場合、又はＴＡＵ過程が完了する前にデタッチタイプが「再−アタッチが要求される（ｒｅ−ａｔｔａｃｈｒｅｑｕｉｒｅｄ）」を指示する場合に、ＴＡＵ過程は中断し、デタッチ過程が進行される。
【０１１５】
ＵＥがデタッチ要請メッセージを受信する場合に、そのデタッチタイプが「ＨＳＳでＩＭＳＩが知られない」を指示するＥＭＭ理由値＃２を持つ「再−アタッチが要求されない」を指示する場合、又はＴＡＵ過程が完了する前にデタッチタイプが「ＩＭＳＩデタッチ（ＩＭＳＩ  ｄｅｔａｃｈ）」を指示する場合に、当該デタッチ要請メッセージは無視され、ＴＡＵ過程が進行される。
【０１１６】
ｇ）ＴＡＵとＧＵＴＩ再割当過程が衝突する場合
ＴＡＵ過程が完了する前にＵＥがＧＵＴＩＲＥＡＬＬＯＣＡＴＩＯＮ  ＣＯＭＭＡＮＤメッセージを受信する場合、このメッセージは無視され、ＴＡＵ過程が進行される。
【０１１７】
ｈ）下位層がＴＡＵ要請メッセージの送信の失敗を知らせる場合
ＴＡＵ過程は中断し、直ちに再−開始される。ＵＥはＥＰＳアップデート状態を「アップデートされない」（例えば、ＥＵ２）に設定する。
【０１１８】
ｉ）ＴＡＩが変更され、且つ下位層がＴＡＵ完了メッセージの送信の失敗を知らせる場合
現在ＴＡＩがＴＡＩリストに存在しない場合、ＴＡＵ過程は中断し、直ちに再−開始される。ＵＥはＥＰＳアップデート状態を「アップデートされない」（例えば、ＥＵ２）に設定する。現在ＴＡＩがＴＡＩリストの一部である場合、現在継続中の過程を再び行うか否かはＵＥの具現によって決定することができる。
【０１１９】
ｊ）ＴＡＩが変更され、且つ下位層がＴＡＵ完了メッセージの送信の失敗を知らせる場合
現在継続中の過程を再び行うか否かはＵＥの具現によって決定することができる。
【０１２０】
ｋ）下位層から「拡張された待機時間」が指示される場合。ＵＥはＭＭバックオフタイマー（例えば、Ｔ３３４６）が動作中であれば、それを中断する。ＭＭバックオフタイマーは、下位層によって提供された「拡張された待機時間」の値によって起動し、ＥＰＳアップデート状態が「アップデートされない」（例えば、ＥＵ２）に設定され、ＥＭＭ−ＲＥＧＩＳＴＥＲＥＤ．ＡＴＴＥＭＰＴＩＮＧ−ＴＯ−ＵＰＤＡＴＥ状態に変更される。ＵＥはＴＡＵ過程を中断させ、ＴＡＵ試みカウンターをリセットし、現在サービングセルに留まって一般のセル再選択過程を行う。ＵＥは以下の説明の通りに動作することができる。
【０１２１】
ｌ）ＭＭバックオフタイマーＴ３３４６が動作中の場合。ＵＥは、緊急ベアラサービスのためにＰＤＮ接続を確立中であるか、緊急ベアラサービスのためのＰＤＮ接続を持っているか、又はＥＭＭ−ＣＯＮＮＥＣＴＥＤモードで動作する場合を除いてはＴＡＵ過程を開始しない。ＵＥは現在サービングセルに留まって一般のセル再選択過程を行う。
【０１２２】
ここで、タイマーＴ３３４６が非正常のケースによって起動したか、又は成功的でないケースによって起動したかとは別に、タイマーＴ３３４６の動作中にＵＥがＴＡＵ過程を開始する必要があると、これを非正常のケースと見なすことができる。
【０１２３】
前述したケースｂ）、ｃ）、ｄ）、ｅ）、ｆ）及びｋ）でＵＥは現在継続中のユーザデータ送信を中止する。
【０１２４】
前述したケースｂ）、ｃ）、ｄ）、ｋ）及びｌ）で、ＵＥは次のように動作する。
【０１２５】
タイマーＴ３４３０が動作中であれば、それを中止させる。
【０１２６】
ケースｂ）、ｃ）及びｄ）において、ＴＡＵ試みカウンターは既に５に設定された場合を除いては、増加（ｉｎｃｒｅｍｅｎｔ）する。
【０１２７】
ＴＡＵ試みカウンターが５未満であり、現在サービングセルのＴＡＩがＴＡＩリストに含まれ、ＥＰＳアップデート状態が「アップデートされる」（例えば、ＥＵ１）になっており、ＴＩＮ（Ｔｅｍｐｏｒａｒｙ  Ｉｄｅｎｔｉｔｙ  ｕｓｅｄ  ｉｎ  Ｎｅｘｔ  ｕｐｄａｔｅ）が「Ｐ−ＴＭＳＩ」を指示しない場合には、次のように動作する。ＵＥは、ＥＰＳアップデート状態をＥＵ１に維持し、ＥＭＭ−ＲＥＧＩＳＴＥＲＥＤ．ＮＯＲＭＡＬ−ＳＥＲＶＩＣＥ状態に入る。ＵＥはタイマーＴ３４１１（すなわち、下位層失敗によるアタッチ失敗やＴＡＵ失敗の場合、又は非正常のケースでない他のＥＭＭ理由値でアタッチ拒絶又はＴＡＵ拒絶された場合などに起動し、アタッチ要請やＴＡＵ要請が送信された場合に中止されるタイマー）を起動させる。ＴＡＵ要請が「周期的アップデート（ｐｅｒｉｏｄｉｃ  ｕｐｄａｔｅ）」を指示する場合は、ＵＥがＥＭＭ−ＣＯＮＮＥＣＴＥＤモードに入る時、タイマーＴ３４１１は中止されてもよい。仮にタイマーＴ３４１１が満了する場合、ＴＡＵ過程は再びトリガー（ｔｒｉｇｇｅｒ）される。
【０１２８】
ＴＡＵ試みカウンターが５未満であり、現在サービングセルのＴＡＩがＴＡＩリストに含まれないか、ＥＰＳアップデート状態がＥＵ１以外の状態であるか、又はＴＩＮが「Ｐ−ＴＭＳＩ」を指示する場合には、次のように動作する。前述したケースｋ）及びｌ）の場合に、タイマーＴ３３４６が満了したり中止された場合に、まだ必要ならば、ＴＡＵ過程が開始される。他の全ての場合には、ＵＥはタイマーＴ３４１１を起動させ、ＥＰＳアップデート状態を「アップデートされない」（例えば、ＥＵ２）に設定し、状態をＥＭＭ−ＲＥＧＩＳＴＥＲＥＤ．ＡＴＴＥＭＰＴＩＮＧ−ＴＯ−ＵＰＤＡＴＥに設定する。タイマーＴ３４１１が満了すると、ＴＡＵ過程は再びトリガーされる。仮にＵＥによってＡ／Ｇｂモード又はＩｕモードが支援される場合、一般的な又は周期的なＲＡＵ過程に失敗し、ＲＡＵ試みカウンターが５未満であり、ＧＰＲＳアップデート状態がアップデートされる場合（例えば、ＧＵ１）と異なる場合の非正常のケースに対して、ＵＥはタイマーＴ３３１１（すなわち、ＲＡＵ拒絶の場合に起動し、ＲＡが変更されたりＲＡＵ過程が開始される場合などに中止されるタイマー）を起動させ、ＧＰＲＳアップデート状態を「アップデートされない」（例えば、ＧＵ２）に設定し、ＧＭＭ−ＲＥＧＩＳＴＥＲＥＤ．ＡＴＴＥＭＰＴＩＮＧ−ＴＯ−ＵＰＤＡＴＥ状態に変更する。
【０１２９】
ＴＡＵ試みカウンターが５の場合には次のように動作する。ＵＥはタイマーＴ３４０２（すなわち、アタッチ失敗又はＴＡＵ失敗において試みカウンターの値が５の場合に起動し、アタッチ要請又はＴＡＵ要請が送信される場合に中止されるタイマー）を起動させ、ＥＰＳアップデート状態を「アップデートされない」（例えば、ＥＵ２）に設定し、均等ＰＬＭＮリストを削除し、ＥＭＭ−ＲＥＧＩＳＴＥＲＥＤ．ＡＴＴＥＭＰＴＩＮＧ−ＴＯ−ＵＰＤＡＴＥ状態に変更したり、又は他のオプションとしてＰＬＭＮ選択を行うためにＥＭＭ−ＲＥＧＩＳＴＥＲＥＤ．ＰＬＭＮ−ＳＥＡＲＣＨ状態に変更することができる。
【０１３０】
ＵＥによってＡ／Ｇｂモード又はＩｕモードが支援される場合、一般的な又は周期的なＲＡＵ過程に失敗し、ＲＡＵ試みカウンターが５以上である場合に、ＵＥはタイマーＴ３３０２（すなわち、ＧＰＲＳアタッチ失敗又はＲＡＵ失敗において試みカウンターの値が５以上である場合に起動し、ＧＰＲＳアタッチ要請又はＲＡＵ要請が送信される場合に中止されるタイマー）を起動させ、均等ＰＬＭＮリストを削除し、ＧＰＲＳアップデート状態を「アップデートされない」（例えば、ＧＵ２）に設定し、状態をＧＭＭ−ＲＥＧＩＳＴＥＲＥＤ．ＡＴＴＥＭＰＴＩＮＧ−ＴＯ−ＵＰＤＡＴＥに変更したり、又は他のオプションとしてＰＬＭＮ選択を行うためにＧＭＭ−ＲＥＧＩＳＴＥＲＥＤ．ＰＬＭＮ−ＳＥＡＲＣＨに状態を変更することができる。
【０１３１】
サービス要請過程においては、次のようなＵＥ側における非正常ケースを定義することができる。
【０１３２】
ａ）アクセスクラス制限（ｂａｒｒｉｎｇ）又はネットワークによるＮＡＳシグナリング接続確立拒絶によってアクセスが制限される場合
ネットワークからのページング要請に応答してサービス要請過程が始まる場合、アクセスクラス制限は適用されない。
【０１３３】
ネットワークからのページング要請に対する応答がサービス要請過程をトリガーし、ＮＡＳシグナリング接続確立がネットワークによって拒絶される場合、サービス要請過程は開始されない。ＵＥは、現在サービングセルに留まって一般のセル再選択過程を行う。着信呼（ｔｅｒｍｉｎａｔｉｎｇ  ｃａｌｌ）に対してアクセスが許容されたり、セル変更によってサービス要請が依然として必要な場合は、サービス要請過程が開始されてもよい。
【０１３４】
ＣＳＦＢのためにサービス要請が開始され、ＭＯ（Ｍｏｂｉｌｅ  Ｏｒｉｇｉｎａｔｅｄ）  ＣＳＦＢの理由でアクセスが制限され、下位層が、この制限はＣＳＦＢ特定アクセス制限情報によるものであることを知らせる場合に、サービス要請過程は開始されない。ＵＥは現在サービングセルに留まって一般のセル再選択過程を行う。ＭＯ  ＣＳＦＢのためのアクセスが許容されたりセル変更によってサービス要請が依然として必要な場合は、サービス要請過程が開始されてもよい。
【０１３５】
ＣＳＦＢのためにサービス要請が開始され、ＭＯ  ＣＳＦＢの理由でアクセスが制限され、下位層が、この制限はＣＳＦＢ特定アクセス制限情報によるものであることを知らせない場合に、ＵＥはＧＥＲＡＮ又はＵＴＲＡＮ無線アクセス技術（ＲＡＴ）を選択する。そして、ＵＥは適切なＭＭ及びＣＣ（Ｃａｌｌ  Ｃｏｎｔｒｏｌ）特定過程を行う。ＥＭＭサブ層はＭＭサブ層にサービス要請過程の中断について知らせない。
【０１３６】
又は、発信呼（ｏｒｉｇｉｎａｔｉｎｇ  ｃａｌｌ）に対してアクセスが制限される場合、サービス要請過程は開始されない。ＵＥは現在サービングセルに留まって一般のセル再選択過程を行う。発信呼に対するアクセスが許容されたりセル変更によって依然としてサービス要請が必要な場合に、サービス要請過程が開始されてもよい。
【０１３７】
サービス要請が１ｘＣＳＦＢのために開始され、発信呼に対してアクセスが制限される場合、ＵＥはｃｄｍａ２０００(R)１ｘ無線アクセス技術（ＲＡＴ）を選択する。そして、ＵＥは適切なｃｄｍａ２０００(R)１ｘＣＳ過程を行う。
【０１３８】
ｂ）サービス要請過程が完了する前に又はサービス拒絶メッセージを受信する前にＮＡＳシグナリング接続が解除されたり下位層失敗が発生する場合
サービス要請がＣＳＦＢのために開始される場合、ＵＥはＧＥＲＡＮ又はＵＴＲＡＮを無線アクセス技術（ＲＡＴ）として選択する。そして、ＵＥは適切なＭＭ及びＣＣ特定過程を行う。ＥＭＭサブ層はＭＭサブ層にサービス要請過程の中断について知らせない。
【０１３９】
サービス要請が１ｘＣＳＦＢのために開始される場合に、ＵＥはｃｄｍａ２０００(R)１ｘ無線アクセス技術（ＲＡＴ）を選択して適切なｃｄｍａ２０００(R)１ｘＣＳ過程を行ったり、又はセル選択を行うことができる。
【０１４０】
又は、ＵＥはＥＭＭ−ＲＥＧＩＳＴＥＲＥＤ状態に入る。ＵＥはサービス要請過程を中断させ、タイマーＴ３４１７及びＴ３４１７ｅｘｔ（すなわち、（拡張された）サービス要請が送信される場合に開始され、ベアラが設定されたりサービス拒絶が受信される場合に中止されるタイマー）を中止させ、サービス要請過程のために割り当てられたリソースがあればそれを解除する。
【０１４１】
ｃ）タイマーＴ３４１７が満了する場合。
【０１４２】
ＵＥはＥＭＭ−ＲＥＧＩＳＴＥＲＥＤ状態に入る。
【０１４３】
ＵＥがＥＭＭ−ＩＤＬＥモードでサービス要請過程をトリガーする場合、ＥＭＭサブ層は当該過程を中断させ、サービス要請過程のために割り当てられたリソースがあればそれを解除する。
【０１４４】
ＵＥがＥＭＭ−ＣＯＮＮＥＣＴＥＤモードでサービス要請過程をトリガーする場合、ＥＭＭサブ層は当該過程を中断させ、１ｘＣＳＦＢ過程が失敗したものと見なす。ＵＥはＥＭＭ−ＣＯＮＮＥＣＴＥＤモードを維持する。
【０１４５】
ｄ）タイマーＴ３４１７ｅｘｔが満了する場合
ＵＥはＥＭＭ−ＲＥＧＩＳＴＥＲＥＤ状態に入る。
【０１４６】
ＵＥがＥＭＭ−ＩＤＬＥモードでサービス要請過程をトリガーする場合、ＥＭＭサブ層は当該過程を中断させ、ＭＭサブ層にＣＳＦＢ過程に失敗したことを知らせ、サービス要請過程のために割り当てられたリソースがあればそれを解除する。
【０１４７】
ＵＥがＥＭＭ−ＣＯＮＮＥＣＴＥＤモードでサービス要請過程をトリガーする場合、ＥＭＭサブ層は当該過程を中断させ、ＭＭサブ層にＣＳＦＢ過程に失敗したことを知らせる。ＵＥはＥＭＭ−ＣＯＮＮＥＣＴＥＤモードを維持する。
【０１４８】
ｅ）サービス拒絶メッセージがＥＭＭ理由値＃３、＃６、＃７、＃９、＃１０、＃１１、＃３５、＃１２、＃１３、＃１５、＃１８、＃２２、＃２５、＃３９、＃４０以外の理由値を含む場合と、ＥＭＭ理由値＃２２のときに、ＵＥが非正常のケースであると見なす場合。
【０１４９】
ＵＥはサービス要請過程を中断させ、ＥＭＭ−ＲＥＧＩＳＴＥＲＥＤ状態に入る。
【０１５０】
サービス要請がＣＳＦＢのために開始される場合、ＵＥはＧＥＲＡＮ又はＵＴＲＡＮを無線アクセス技術（ＲＡＴ）として選択する。そして、ＵＥは適切なＭＭ及びＣＣ特定過程を行う。ＥＭＭサブ層はＭＭサブ層にサービス要請過程の中断について知らせない。
【０１５１】
サービス要請が１ｘＣＳＦＢのために開始される場合に、ＵＥはｃｄｍａ２０００(R)１ｘ無線アクセス技術（ＲＡＴ）を選択する。そして、ＵＥは適切なｃｄｍａ２０００(R)１ｘＣＳ過程を行う。
【０１５２】
サービス要請が１ｘＣＳＦＢのために開始され、ＵＥが二重（ｄｕａｌ）受信／送信（Ｒｘ／Ｔｘ）設定をもって改善された（ｅｎｈａｎｃｅｄ）１ｘＣＳＦＢを支援する場合に、ＥＭＭ−ＩＤＬＥモードに入るとＵＥはＴＡＵ過程を行う。
【０１５３】
ここで、ＥＭＭ理由値＃３は不正（ｉｌｌｅｇａｌ）ＵＥを指示し、＃６は不正ＭＥを指示し、＃７は、ＥＰＳサービスが許容されないことを指示し、＃９は、ＵＥ識別情報がネットワークから誘導（ｄｅｒｉｖｅ）されないことを指示し、＃１０は黙示的に（ｉｍｐｌｉｃｉｔｌｙ）デタッチされたことを指示し、＃１１は、許容されないＰＬＭＮであることを指示し、＃３５は、要請されたサービスオプションが該当のＰＬＭＮで認可されないことを指示し、＃１２は、許容されないトラッキング領域であることを指示し、＃１３は、該当のトラッキング領域でローミングが許容されないことを指示し、＃１５はトラッキング領域で適切なセルがないことを指示し、＃１８はＣＳドメインを使用できないことを指示し、＃２２は混雑状態を指示し、＃２５は該当のＣＳＧ（Ｃｌｏｓｅｄ  Ｓｕｂｓｃｒｉｂｅｒ  Ｇｒｏｕｐ）に対して認可されないことを指示し、＃３９は、ＣＳサービスを一時的に（ｔｅｍｐｏｒａｒｉｌｙ）使用できないことを指示し、＃４０は、活性化されたＥＰＳベアラコンテクストがないことを指示する。これらは、サービス要請がネットワークによって許容されない場合のＥＭＭ理由値の例示に該当する。
【０１５４】
また、ＥＭＭ理由値＃２２のときに、ＵＥが非正常のケースであると見なす場合は、ＴＡＵ拒絶メッセージ内に所定のタイマー（例えば、ＮＡＳレベルＭＭ混雑（ｃｏｎｇｅｓｔｉｏｎ）制御が活性化される場合に設定されるＭＭバックオフタイマーであるＴ３３４６、Ｔ３３４６の動作中にはＭＭシグナリングは禁止されるのが一般的である）の値が含まれ、その値が０でなく、非活性化されたものでもない場合以外の場合に該当する。
【０１５５】
ｆ）ＴＡＵ過程がトリガーされた場合
ＵＥはサービス要請過程を中断させ、タイマーＴ３４１７又はＴ３４１７ｅｘｔが動作中であれば、それを中止させ、ＴＡＵ過程を行う。ＴＡＵ要請メッセージで「活性化（ａｃｔｉｖｅ）」フラグが設定される。サービス要請がＣＳＦＢ又は１ｘＣＳＦＢのために開始される場合、ＵＥはＴＡＵ過程の完了以降に存在するＮＡＳシグナリング接続を用いることによって、拡張されたサービス要請メッセージをＭＭＥに送信する。
【０１５６】
ｅ）スイッチオフの場合
ＵＥがスイッチオフ時にＥＭＭ−ＳＥＲＶＩＣＥ−ＲＥＱＵＥＳＴ−ＩＮＩＴＩＡＴＥＤ状態にある場合、デタッチ過程が行われる。
【０１５７】
ｈ）過程衝突が発生する場合
ＵＥがＥＭＭ−ＳＥＲＶＩＣＥ−ＲＥＱＵＥＳＴ−ＩＮＩＴＩＡＴＥＤ状態でネットワークからデタッチ要請メッセージを受信する場合に、そのデタッチタイプが「ＨＳＳでＩＭＳＩが知られない」を指示するＥＭＭ理由値＃２以外のＥＭＭ理由値を有する「再−アタッチが要求されない」を指示する場合、又はそのデタッチタイプが「再−アタッチが要求される」を指示する場合に、デタッチ過程が進行され、サービス要請過程は中断される。
【０１５８】
また、サービス要請がＣＳＦＢ又は１ｘＣＳＦＢのために開始される場合に、ＥＭＭサブ層はＭＭサブ層又はｃｄｍａ２０００(R)上位層にＣＳＦＢ又は１ｘＣＳＦＢ過程に失敗したことを知らせる。
【０１５９】
デタッチ要請メッセージ内のデタッチタイプ情報要素が「再−アタッチが要求される」を指示する場合に、アタッチ過程が行われる。
【０１６０】
ＵＥがＥＭＭ−ＳＥＲＶＩＣＥ−ＲＥＱＵＥＳＴ−ＩＮＩＴＩＡＴＥＤ状態でネットワークからデタッチ要請メッセージを受信する場合に、そのデタッチタイプが「ＨＳＳでＩＭＳＩが知られない」を指示するＥＭＭ理由値＃２以外のＥＭＭ理由値を有する「再−アタッチが要求されない」を指示する場合、又は「ＩＭＳＩデタッチ」を指示する場合に、ＵＥはサービス要請過程とデタッチ過程の両方を行う。
【０１６１】
ｉ）ＴＡＩが変更され、且つ下位層がサービス要請メッセージ又は拡張されたサービス要請メッセージの送信の失敗を知らせる場合
現在ＴＡＩがＴＡＩリストに存在しないと、サービス要請過程は中断され、ＴＡＵ過程が行われる。ＴＡＵ要請メッセージで「活性化」フラグが設定される。サービス要請がＣＳＦＢ又は１ｘＣＳＦＢのために開始される場合、ＵＥはＴＡＵ過程の完了以降に存在するＮＡＳシグナリング接続を用いることによって、拡張されたサービス要請メッセージをＭＭＥに送信する。
【０１６２】
現在ＴＡＩが依然としてＴＡＩリストの一部である場合に、ＵＥはサービス要請過程を再び始める。
【０１６３】
ｊ）ＴＡＩの変更無しで、下位層がサービス要請メッセージ又は拡張されたサービス要請メッセージの送信の失敗を知らせる場合。
【０１６４】
ＵＥはサービス要請過程を再び始める。
【０１６５】
ｋ）デフォルト（ｄｅｆａｕｌｔ）又は専用（ｄｅｄｉｃａｔｅｄ）ベアラ設定に失敗する場合
下位層が無線ベアラ設定に失敗したことを知らせる場合、ＵＥはＥＰＳベアラを非活性化（ｄｅａｃｔｉｖａｔｅ）する。
【０１６６】
ｌ）下位層から「拡張された待機時間（ｅｘｔｅｎｄｅｄ  ｗａｉｔ  ｔｉｍｅ）」が指示される場合
ＵＥはサービス要請過程を中断させ、ＥＭＭ−ＲＥＧＩＳＴＥＲＥＤ状態に入り、タイマーＴ３４１７又はＴ３４１７ｅｘｔが動作中であれば、それを中止させる。
【０１６７】
ＵＥは、タイマーＴ３３４６が動作中であれば、それを中止させる。
【０１６８】
ＵＥはタイマーＴ３３４６を下位層によって提供された「拡張された待機時間」の値によって起動する。
【０１６９】
タイマーＴ３３４６が満了したり中止された場合に、依然として必要であれば、サービス要請過程が開始される。
【０１７０】
サービス要請がＣＳＦＢのために開始され、タイマーＴ３２４６（すなわち、ＣＳドメインのためのＭＭバックオフタイマー）が動作しない場合に、ＵＥはＧＥＲＡＮ又はＵＴＲＡＮを無線アクセス技術（ＲＡＴ）として選択する。そして、ＵＥは適切なＭＭ及びＣＣ特定過程を行う。ＥＭＭサブ層はＭＭサブ層にサービス要請過程の中断について知らせない。
【０１７１】
サービス要請が１ｘＣＳＦＢのために開始される場合に、ＵＥはｃｄｍａ２０００(R)１ｘ無線アクセス技術（ＲＡＴ）を選択し、適切なｃｄｍａ２０００(R)１ｘＣＳ過程を行ったり、又はセル選択を行うことができる。
【０１７２】
ｍ）タイマーＴ３３４６が動作中の場合
ＵＥは次の場合を除いてはサービス要請過程を行わない。ＵＥがＴ３３４６動作中にサービス要請過程を行う場合は、ＵＥが緊急ベアラサービスのために確立されたＰＤＮ接続を有していたり、緊急ベアラサービスのためのＰＤＮ接続を確立中である場合、又は上位層によって緊急呼（ｅｍｅｒｇｅｎｃｙ  ｃａｌｌ）のためのＣＳＦＢが要求される場合に相当する。
【０１７３】
ＵＥは現在サービングセルに留まって一般のセル再選択過程を行う。タイマーＴ３３４６が満了したり中止された場合、依然として必要であればサービス要請過程が開始される。
【０１７４】
ＭＯ  ＣＳＦＢに対する上位層の要請があるが、緊急呼に関するものではなく、且つタイマーＴ３２４６が動作中でなけはれば、ＵＥはＧＥＲＡＮ又はＵＴＲＡＮを無線アクセス技術（ＲＡＴ）として選択する。そして、ＵＥは適切なＭＭ及びＣＣ特定過程を行う。ＥＭＭサブ層はＭＭサブ層にサービス要請過程の中断について知らせない。
【０１７５】
ＭＯ  ＣＳＦＢに対する上位層の要請があるが、緊急呼に関するものであれば、ＵＥはＧＥＲＡＮ又はＵＴＲＡＮを無線アクセス技術（ＲＡＴ）として選択することができる。そして、ＵＥは適切なＭＭ及びＣＣ特定過程を行う。ＥＭＭサブ層はＭＭサブ層にサービス要請過程の中断について知らせない。
【０１７６】
１ｘＣＳＦＢに対する上位層の要請があれば、ｃｄｍａ２０００(R)１ｘ無線アクセス技術（ＲＡＴ）を選択する。そして、ＵＥは適切なｃｄｍａ２０００(R)１ｘＣＳ呼過程を行う。
【０１７７】
（無線リンク失敗（ＲＬＦ））
基地局（例えば、（ｅ）ＮＢ又はＨ（ｅ）ＮＢ）と端末（例えば、ＵＥ又はＭＳ）間の無線リンク失敗（Ｒａｄｉｏ  Ｌｉｎｋ  Ｆａｉｌｕｒｅ；ＲＬＦ）が発生することがある。無線リンク失敗とは、基地局と端末間の無線リンクの品質が低下して信号送受信が難しい状態のことを意味する。ＲＬＦの検出に関連する動作はＲＲＣ層で行われ、ＲＬＦが検出されると、新しい無線リンクを探す過程が行われる。
【０１７８】
３ＧＰＰ  ＬＴＥシステムでは、基地局と端末間のＲＲＣ（Ｒａｄｉｏ  Ｒｅｓｏｕｒｃｅ  Ｃｏｎｔｒｏｌ）状態をＲＲＣ＿ＣＯＮＮＥＣＴＥＤ状態及びＲＲＣ＿ＩＤＬＥ状態と定義することができる。ＲＲＣ＿ＣＯＮＮＥＣＴＥＤ状態は、基地局と端末間のＲＲＣ接続が確立された（ｅｓｔａｂｌｉｓｈｅｄ）状態を意味し、端末は基地局とデータを送受信することができる。ＲＲＣ＿ＩＤＬＥ状態は、基地局と端末間のＲＲＣ接続が解除された（ｒｅｌｅａｓｅｄ）状態を意味する。
【０１７９】
無線リンク失敗（ＲＬＦ）関連動作は、（１）ＲＲＣ＿ＣＯＮＮＥＣＴＥＤ状態で物理層問題（ｐｈｙｓｉｃａｌ  ｌａｙｅｒ  ｐｒｏｂｌｅｍｓ）の検出、（２）物理層問題の復旧（ｒｅｃｏｖｅｒｙ）、及び（３）ＲＬＦ検出、と説明することができる。
【０１８０】
（１）端末が、Ｎ３１０と定義される所定の値だけの連続した「ｏｕｔ−ｏｆ−ｓｙｎｃ」指示（ｉｎｄｉｃａｔｉｏｎｓ）を下位層（例えば、ＰＨＹ層又はＭＡＣ層）から受信すると、端末は、Ｔ３１０と定義されるタイマーを駆動させる。「ｏｕｔ−ｏｆ−ｓｙｎｃ」指示は、下位層（物理層）で受信するＰＤＣＣＨ（Ｐｈｙｓｉｃａｌ  Ｄｏｗｎｌｉｎｋ  Ｃｏｎｔｒｏｌ  Ｃｈａｎｎｅｌ）の復調が不可能であるか、ＳＩＮＲ（Ｓｉｇｎａｌ−ｔｏ−Ｉｎｔｅｒｆｅｒｅｎｃｅ  ｐｌｕｓ  Ｎｏｉｓｅ  Ｒａｔｉｏ）が低いとき、上位層（すなわち、ＲＲＣ層よりも上位の層）に提供することができる。Ｎ３１０及びＴ３１０は上位層パラメータとしてあらかじめ定義された値で与えることができる。
【０１８１】
（２）Ｔ３１０タイマーの駆動中に端末がＮ３１１と定義される所定の値だけ連続した「ｉｎ−ｓｙｎｃ」指示（ｉｎｄｉｃａｔｉｏｎｓ）を下位層から受信すると、端末はＴ３１０タイマーを停止させる。Ｎ３１１は上位層パラメータとしてあらかじめ定義された値で与えることができる。
【０１８２】
（３）端末は、Ｔ３１０タイマーの満了（ｅｘｐｉｒｙ）時に、ＲＬＦが検出されたものと判断し、接続再確立過程（ｃｏｎｎｅｃｔｉｏｎ  ｒｅ−ｅｓｔａｂｌｉｓｈｍｅｎｔ  ｐｒｏｃｅｄｕｒｅ）を開始する。Ｔ３１０タイマーが満了するということは、Ｔ３１０タイマーが駆動中間に停止することなく、定められた時間（Ｔ３１０）に到達することを意味する。また、接続再確立過程とは、端末が基地局に「ＲＲＣ接続再確立要請」メッセージを送り、基地局から「ＲＲＣ接続再確立」メッセージを受信し、基地局に「ＲＲＣ接続再確立完了」メッセージを送る過程である。ＲＬＦ関連動作についての具体的な事項は、３ＧＰＰ標準文書ＴＳ３６．３３１の５．３．１１節を参考すればよい。
【０１８３】
（改善されたＮＡＳシグナリング要請過程）
前述したように、ＵＥのＮＡＳシグナリング要請（例えば、アタッチ要請、ＴＡＵ／ＲＡＵ要請、サービス要請など）に対してネットワークノード（例えば、ＭＭＥ）によってその一部又は全部を失敗又は拒絶される場合に、ＵＥは、ＮＡＳシグナリング要請の失敗／拒絶の理由値によって動作することができる。例えば、ＵＥは、ＮＡＳシグナリング要請を再び試みることができる。ここで、アタッチ要請、ＴＡＵ要請の場合に再試みの上限（ｕｐｐｅｒ  ｂｏｕｎｄ）は、例えば、５に設定することができる。すなわち、アタッチ試みカウンター又はＴＡＵ試みカウンターの値は失敗の都度増加し、最大値を５に制限することができる。一方、サービス要請の場合には、試み回数の上限はなく、待機タイマー以降にサービス要請を再び試みる方式と定義されている。
【０１８４】
本発明では３ＧＰＰ  ＬＴＥ／ＵＭＴＳベースの移動通信システムにおいて下位層失敗（例えば、ＡＳ失敗）又はネットワーク失敗（例えば、無線リンク失敗（ＲＬＦ）検出、ネットワーク非正常の問題の発生、又はコアネットワーク自体の問題）によってＮＡＳシグナリング要請が失敗又は拒絶されることがある。ここで、ＮＡＳシグナリング要請失敗／拒絶に関連した下位層失敗は、ＡＳレベルでの失敗を意味する。また、ＮＡＳシグナリング要請失敗／拒絶に関連したネットワーク失敗において、ＲＬＦは、ＵＥ／ＭＳと（ｅ）ＮＢ／Ｈ（ｅ）ＮＢ間の無線アクセスネットワークの悪化した状態によって発生することがあり、ネットワーク非正常の問題は（ｅ）ＮＢ／Ｈ（ｅ）ＮＢとＭＭＥ／ＳＧＳＮ間のＮＡＳシグナリング接続の失敗によって発生することがある。
【０１８５】
本発明では、下位層失敗及び／又はネットワーク失敗が発生した状況下で、ＮＡＳシグナリング要請の失敗／拒絶が発生する場合において既存に定義された動作の非効率性を改善するための方案を提案する。
【０１８６】
例えば、下りリンク信号は強いが、上りリンク信号が弱い場合、又は上りリンク信号と下りリンク信号の両方が弱い場合に、ＵＥからのＮＡＳシグナリング要請が基地局（（ｅ）ＮＢ又はＨ（ｅ）ＮＢ）及び／又はＭＭＥに到達しないことがある。この場合、ＵＥによって開始されたＮＡＳシグナリング要請が失敗することもあり、又はネットワークによって拒絶されることもある。また、ＰＬＭＮ失敗又はネットワーク失敗によるネットワークエラーが発生する場合に、ＵＥによって開始されたＮＡＳシグナリング要請は失敗することもあり、又はネットワークによって拒絶されることもある。
【０１８７】
既存に定義されている動作によれば、ＮＡＳシグナリング要請に対する失敗／拒絶の場合に、同一の無線アクセス技術（ＲＡＴ）及び／又は同一のＰＬＭＮに対してＵＥ／ＭＳがＮＡＳシグナリング要請過程を再び試みたり（例えば、アタッチ要請又はＴＡＵ要請の場合）、待機タイマーを適用したり（例えば、サービス要請過程の場合）する。すなわち、ＵＥ／ＭＳは、同一のＲＡＴ及び／又は同一のＰＬＭＮに留まって（すなわち、他のＲＡＴへの変更又は他のＰＬＭＮを選択できないまま）ＮＡＳシグナリング要請を再び試みたり待機タイマーを適用することになる。この場合、当該ネットワーク失敗が短時間で復旧できない性質のものであれば、ユーザへのサービスは大きく遅延されることがある。
【０１８８】
具体的に、前述したように、ＮＡＳシグナリング要請過程においてＵＥでの非正常のケースについては、アタッチ試みカウンター又はＴＡＵ試みカウンターが５未満の場合にはカウンター値が増加し、アタッチ再試み／ＴＡＵ再試みが行われ、サービス要請の場合には、待機タイマー（例えば、Ｔ３４１７又はＴ３４１７ｅｘｔ）の間に待機した後にサービス要請が再び試みられる。
【０１８９】
また、ＮＡＳシグナリング要請がネットワークによって許容されても、一部に対しては失敗する場合もある。例えば、ＥＰＳに対してはＮＡＳシグナリング要請過程が成功するが、ＭＳＣが一時的に到達できないか、ＰＬＭＮ失敗によるネットワーク失敗が発生するか、又はＣＳドメインが使用できない場合が発生することがある（例えば、ＥＰＳ−ｏｎｌｙ成功を指示するＥＭＭ理由値＃１６、＃１７又は＃１８）。この場合、既存に定義された動作によれば、ＵＥ／ＭＳは試みカウンターの上限までＮＡＳシグナリング要請の再試みを行うことになる。
【０１９０】
一方、ＮＡＳシグナリング要請がネットワークによって許容されない場合において、ＮＡＳシグナリング要請に対する拒絶メッセージの理由値＃１３、＃１４、＃３５は、ネットワーク失敗／下位層失敗に関するものではないが、ローミング規約、加入者情報に関連した問題によってＮＡＳシグナリング要請が拒絶される場合に該当する。このような場合、既存に定義された動作によれば、ＰＬＭＮ再選択、ＲＡＴ変更を再試みカウンティング無しで直ちに行うようになる。しかし、これは、ネットワーク失敗／下位層失敗によるものではなく、単に加入者情報に関連した問題によるものであるため、本発明で取り扱おうとする、ネットワーク失敗／下位層失敗の場合にサービス要請過程の再試み又は待機によってサービスが遅延される問題を解決する方案とは区別しなければならない。
【０１９１】
要するに、既存に定義された動作によれば、ネットワーク失敗や下位層失敗によってＮＡＳシグナリング要請の失敗／拒絶が発生する場合には、ＮＡＳシグナリング要請の再試みを行ったり待機タイマーを適用する動作のみが定義されている。しかし、ネットワーク失敗が短時間で復旧されない深刻な（ｓｅｖｅｒｅ）ものであれば、ＮＡＳシグナリング要請過程の再試みを行ったり待機タイマーを適用しても、当該要請がネットワークで許容される可能性は実質的にないと考えられる。そこで、ネットワーク失敗又は下位層失敗などによってＮＡＳシグナリング要請が失敗又は拒絶された場合に、ＵＥ／ＭＳがＮＡＳシグナリング要請過程の再試みや待機無しで、直ちにＲＡＴ変更又はＰＬＭＮの再選択を行うようにする動作を定義することが要求される。これによって、ネットワーク失敗／下位層失敗によるＮＡＳシグナリング要請失敗／拒絶の場合に常に再試みを行う動作が防止され、直ちにＲＡＴ変更／ＰＬＭＮ再選択が行われ、よって、ネットワークリソースを不必要に消耗することを防止し、ユーザへのサービス提供を遅延させる等の問題を解消することが可能になる。
【０１９２】
（実施例１）
下位層失敗又はネットワーク失敗によってＮＡＳシグナリング要請（例えば、アタッチ、ＴＡＵ／ＲＡＵ、サービス要請など）に失敗したりネットワークによって拒絶される場合に、ＵＥ／ＭＳは直ちにＲＡＴ変更を行ったり、ＰＬＭＮ再選択を行ったり、又はＲＡＴ変更とＰＬＭＮ再選択を共に行うことができる。ここで、ネットワーク失敗は、ＣＳ失敗、ＰＳ失敗、又はＣＳ及びＰＳ両方の失敗のいずれか一つを含む。また、ネットワーク失敗の原因としては、ＲＬＦ、ネットワーク非正常のケース、又はコアネットワーク自体の問題のいずれか一つ以上が挙げられる。本実施例は具体的に次のように表現することができる。
【０１９３】
１）アタッチ要請又はＴＡＵ／ＲＡＵ要請の場合には、試みカウンター（ａｔｔｅｍｐｔ  ｃｏｕｎｔｅｒ）の上限（例えば、５）まで試みた後に、ＵＥ／ＭＳがＰＬＭＮ再選択及び／又はＲＡＴ変更を行うことを提案する。
【０１９４】
２）既存のサービス要請過程の場合には試みカウンターの上限を適用しなかったが、本発明では、サービス要請過程の場合にも試みカウンターの上限を適用することを提案する。例えば、アタッチ過程又はＴＡＵ／ＲＡＵ過程と同様に、所定の上限を持つ試みカウンターを適用したり、又はサービス要請過程が行われる周期（ｐｅｒｉｏｄ）を設定することができる。これによって、ＵＥ／ＭＳはサービス要請過程を試みカウンターの上限まで行った後に、ＰＬＭＮ再選択及び／又はＲＡＴ変更を行うことができる。
【０１９５】
３）ＵＥ／ＭＳの試みカウンターの値が上限未満であっても、ＵＥ／ＭＳが再試みを行わず、試みカウンターの値を上限にアップデート（又は設定）することを提案する。すなわち、試みカウンターの上限まで再試みを行うことを省略し、直ちに試みカウンターが上限である場合の動作（すなわち、ＲＡＴ変更及び／又はＰＬＭＮ再選択）を行うことができる。
【０１９６】
前述した１）乃至３）の提案は独立して適用してもよく、一つ以上を同時に適用してもよい。
【０１９７】
例えば、ネットワーク失敗によってＮＡＳシグナリング要請失敗又は拒絶が発生した場合に、ＵＥ／ＭＳは、アタッチ過程、ＴＡＵ／ＲＡＵ過程又はサービス要請過程において、再試みを行ったり待機せずに（すなわち、アタッチ過程又はＴＡＵ／ＲＡＵ過程に対しては試みカウンターを上限値（例えば、５）に設定し、サービス要請過程に対しては待機タイマーの適用無しに）、ＲＡＴ変更及び／又はＰＬＭＮ選択を行うことができる。
【０１９８】
また、ＵＥ／ＭＳの非正常のケースにおいて試みカウンターの値が上限値に設定される場合について前述した動作を、本発明で試みカウンターの値が上限値に設定された場合の動作として追加的に行うことができる。すなわち、ＵＥは、ＥＰＳアップデート状態を「アップデートされない（例えば、ＥＵ２）」に設定し、ＧＵＴＩ、最後に訪問した登録されたＴＡＩ、ｅＫＳＩ、均等（ｅｑｕｉｖａｌｅｎｔ）ＰＬＭＮリストが存在するとそれを全て削除し、ＥＭＭ−ＤＥＲＥＧＩＳＴＥＲＥＤ．ＰＬＭＮ−ＳＥＡＲＣＨ状態に変更され、ＰＬＭＮ選択を行うことができる。さらに、ＵＥがＡ／Ｇｂモード又はＩｕモードを支援する場合には、ＧＰＲＳアップデート状態を「アップデートされない（例えば、ＧＵ２）」に設定し、ＲＡＩ、Ｐ−ＴＭＳＩ、Ｐ−ＴＳＭＩシグネチャー及びＧＰＲＳ暗号化キーシーケンス番号が存在すると、それを削除することができる。
【０１９９】
（実施例２）
前述した実施例１で提案した通り、下位層失敗又はネットワーク失敗によるＮＡＳシグナリング要請の失敗又は拒絶の場合に、ＵＥ／ＭＳがＲＡＴ変更及び／又はＰＬＭＮ選択を行う動作を行うことができる。この場合、ネットワーク失敗が発生したセルのＰＬＭＮと同じＰＬＭＮで他のＲＡＴを選択したり、又はネットワーク失敗が発生したセルのＰＬＭＮと均等なＰＬＭＮを選択する場合を仮定することができる。また、他のＲＡＴを選択したＵＥ／ＭＳが２Ｇ／３ＧシステムにおけるＡＳ再選択過程（例えば、ＲＡＴ変更）によって、元来のネットワーク失敗が発生したセルに復帰することもある。ここで、本発明で仮定するように、最初に失敗が発生したネットワークの問題が短時間で解消されない深刻なものであれば、ＵＥ／ＭＳが再び元来のＲＡＴ／ＰＬＭＮに戻っても、既に発生したネットワーク失敗が依然として解消されておらず、ＵＥ／ＭＳのＮＡＳシグナリング要請は再び失敗／拒絶されることがある。このような場合、ＵＥ／ＭＳは、上記実施例１で提案したように、直ちにＲＡＴ／ＰＬＭＮ選択を行って他のＲＡＴ／ＰＬＭＮでサービスを再び受けることもできるが、問題の解消されていないＲＡＴ／ＰＬＭＮに復帰する過程が繰り返されることもある。このような問題を、ネットワーク失敗によるピンポン（ｐｉｎｇ−ｐｏｎｇ）問題と呼ぶことができる。本実施例では、このようなピンポン問題を解決する方案を提案する。
【０２００】
１）下位層失敗又はネットワーク失敗によるＮＡＳシグナリング要請失敗又は拒絶の場合に、ＵＥ／ＭＳが同一のＰＬＭＮにおける他のＲＡＴ又は均等な（又は、異なった）ＰＬＭＮにおける他のＲＡＴを選択する時に、所定のタイマー（すなわち、ＲＡＴ／ＰＬＭＮ選択関連タイマー）を起動させることができる。すなわち、このＲＡＴ／ＰＬＭＮ選択関連タイマーは、ネットワーク失敗が発生した現在のＲＡＴ及びＰＬＭＮ組み合わせを除いて、他のＲＡＴ及び／又は他のＰＬＭＮ（すなわち、他のＰＬＭＮの他のＲＡＴ、他のＰＬＭＮの同一のＲＡＴ、又は同一のＰＬＭＮの他のＲＡＴ）を選択することに関連したタイマーと定義することができる。すなわち、このようなＲＡＴ／ＰＬＭＮ選択関連タイマーは、該タイマーの動作中には、ＵＥ／ＭＳがネットワーク失敗の発生した現在のＲＡＴ＋ＰＬＭＮを選択しないように防止するためのものと理解してもよい。ネットワーク失敗が短時間で解消されない深刻なものであっても、将来、ネットワーク失敗が解消される可能性を考慮しなければならず、上記ＲＡＴ／ＰＬＭＮ選択関連タイマーの値を適切に設定すればよい。すなわち、ネットワーク失敗が解消されると予測される値をタイマーの値として与えることができる。また、ＲＡＴ／ＰＬＭＮ選択関連タイマーの動作中に、ＵＥはＬＴＥ能力（ｃａｐａｂｉｌｉｔｙ）を非活性化（ｄｉｓａｂｌｉｎｇ）させ、ＲＡＴ／ＰＬＭＮ選択関連タイマーが満了する場合に、ＬＴＥ能力を再活性化（ｒｅ−ｅｎａｂｌｅ）させることができる。
【０２０１】
２）上記の１）で提案するように、下位層失敗又はネットワーク失敗によるＮＡＳシグナリング要請失敗又は拒絶の場合に、ＵＥは他のＲＡＴ及び／又は他のＰＬＭＮを選択し、ＬＴＥ能力を非活性化できるが、上記の１）で提案するＲＡＴ／ＰＬＭＮ選択関連タイマーに代え、所定の条件を満たす場合に、元来の同一のＲＡＴ及び同一のＰＬＭＮの選択が可能となり、ＬＴＥ能力を再活性化させてもよい。ここでいう所定の条件としては、ＰＬＭＮ選択の目的にＵＥの電源オフ後にオン（ｐｏｗｅｒ  ｏｆｆ／ｏｎ）、ネットワーク動作モードの変更などを含むことができる。
【０２０２】
３）ＮＡＳが非−均等ＰＬＭＮを選択していない場合に、下位層（すなわち、ＡＳ）は所定の時間区間においてＬＴＥセル状態が制限された（ｂａｒｒｅｄ）状態であると（例えば、ＣＳＧセルに対して許容されない場合の動作と同様に）見なすことができる。そして、ＮＡＳが全てのＬＴＥセルを非活性化させることに代え、ＡＳは自身のランキングアルゴリズムに基づいて他のＲＡＴ又はセルを再選択することができる。
【０２０３】
前述した１）乃至３）の提案は独立して適用してもよく、一つ以上を同時に適用してもよい。
【０２０４】
例えば、ネットワーク失敗によってＮＡＳシグナリング要請失敗又は拒絶が発生した場合に、ＵＥ／ＭＳはアタッチ要請、ＴＡＵ／ＲＡＵ及びサービス要請の全ての場合において試みカウンターを上限値（例えば、５）に設定し、ＲＡＴ／ＰＬＭＮ選択関連タイマーを起動させることができる。ＲＡＴ／ＰＬＭＮ選択関連タイマーの動作中には、ＵＥ／ＭＳは、ＮＡＳシグナリング要請失敗／拒絶の発生したＲＡＴ及びＰＬＭＮの組み合わせ（すなわち、現在ＲＡＴ及びＰＬＭＮ）を除いて残りのＲＡＴ及び／又はＰＬＭＮの候補の中からＲＡＴ及び／又はＰＬＭＮを選択すればよい。
【０２０５】
図６は、本発明の一例に係るＮＡＳシグナリング過程を行う方法を説明するためのフローチャートである。
【０２０６】
段階Ｓ６１０において、ＵＥは、第１ネットワークのネットワークノード（例えば、ＭＭＥ）に要請メッセージ（例えば、アタッチ要請、ＴＡＵ要請、ＲＡＵ要請、サービス要請メッセージ）を送信することができる。
【０２０７】
段階Ｓ６２０において、ＵＥは第１ネットワークのネットワークノードから、第１ネットワークでのネットワーク失敗を指示する情報を含むメッセージ（例えば、アタッチ拒絶、ＴＡＵ拒絶、ＲＡＵ拒絶、サービス拒絶メッセージ）を受信することができる。図６では、代表的な例示としてネットワーク失敗を知らせる拒絶メッセージを受信する例を示したが、  段階Ｓ６２０でＵＥは下位層失敗を指示するＮＡＳシグナリング要請失敗メッセージを受信することもできる。
【０２０８】
段階Ｓ６３０においてＵＥはネットワーク選択関連タイマーを起動させ、該ネットワークタイマー動作中に、段階Ｓ６４０において第２ネットワークを選択することができる。ここで、ネットワーク選択関連タイマーは、前述した実施例２で説明したＲＡＴ／ＰＬＭＮ選択関連タイマーであってよい。すなわち、ＵＥは、ネットワーク選択タイマー動作中に、ネットワーク失敗の発生した現在ＲＡＴ及びＰＬＭＮの組み合わせを除く残りのネットワーク候補の中から新しいＲＡＴ及び／又は新しいＰＫＭＮを選択することができる。
【０２０９】
前述した本発明の様々な実施例で説明した事項は独立して適用されてもよく、又は２以上の実施例が同時に適用されてもよい。
【０２１０】
図７は、本発明の一例に係る端末装置の好適な実施例の構成を示す図である。
【０２１１】
図７を参照すると、本発明に係る端末装置１０００は、送受信モジュール１０１０、プロセッサ１０２０及びメモリー１０３０を備えることができる。送受信モジュール１０１０は外部装置（例えば、ネットワークノード、他の端末、サーバー、基地局装置など）に各種信号、データ及び情報を送信し、外部装置（例えば、ネットワークノード、他の端末、サーバー、基地局装置など）から各種信号、データ及び情報を受信するように構成することができる。プロセッサ１０２０は、端末装置１０００の動作全般を制御することができ、端末装置１０００が外部装置と送受信する情報などを演算処理する機能を担うことができる。メモリー１０３０は、演算処理された情報などを所定時間記憶することができ、バッファー（図示せず）などの構成要素に取って代わってもよい。
【０２１２】
本発明の一実施例に係る端末装置１０００はＮＡＳシグナリング過程を行うように構成することができる。プロセッサ１０２０は、第１ネットワークのネットワークノードから、ネットワーク失敗を指示する情報を含む第１メッセージを送受信モジュール１０１０を用いて受信するように構成することができる。また、プロセッサ１０２０は、ネットワーク選択関連タイマーを起動し、ネットワーク選択関連タイマー動作中に、第１ネットワークを除いたネットワーク候補の中から第２ネットワークの選択を行うように設定することができる。
【０２１３】
このような端末装置１０００の具体的な構成は、前述した本発明の諸実施例で説明した事項が独立して適用されたり、又は２つ以上が同時に適用されるように具現すればよく、重複する内容は明確性のために説明を省略する。
【０２１４】
上述した本発明の実施例は様々な手段を用いて具現することができる。例えば、本発明の実施例は、ハードウェア、ファームウェア（ｆｉｒｍｗａｒｅ）、ソフトウェア又はそれらの結合などによって具現することができる。
【０２１５】
ハードウェアによる具現の場合、本発明の実施例に係る方法は、一つ又はそれ以上のＡＳＩＣｓ（Ａｐｐｌｉｃａｔｉｏｎ  Ｓｐｅｃｉｆｉｃ  Ｉｎｔｅｇｒａｔｅｄ  Ｃｉｒｃｕｉｔｓ）、ＤＳＰｓ（Ｄｉｇｉｔａｌ  Ｓｉｇｎａｌ  Ｐｒｏｃｅｓｓｏｒｓ）、ＤＳＰＤｓ（Ｄｉｇｉｔａｌ  Ｓｉｇｎａｌ  Ｐｒｏｃｅｓｓｉｎｇ  Ｄｅｖｉｃｅｓ）、ＰＬＤｓ（Ｐｒｏｇｒａｍｍａｂｌｅ  Ｌｏｇｉｃ  Ｄｅｖｉｃｅｓ）、ＦＰＧＡｓ（Ｆｉｅｌｄ  Ｐｒｏｇｒａｍｍａｂｌｅ  Ｇａｔｅ  Ａｒｒａｙｓ）、プロセッサ、コントローラ、マイクロコントローラ、マイクロプロセッサなどによって具現することができる。
【０２１６】
ファームウェアやソフトウェアによる具現の場合、本発明の実施例に係る方法は、以上で説明された機能又は動作を実行するモジュール、手順又は関数などの形態で具現することができる。ソフトウェアコードは、メモリーユニットに保存され、プロセッサによって駆動されてよい。メモリーユニットは、プロセッサの内部又は外部に設けられ、既に公知の様々な手段によってプロセッサとデータを交換することができる。
【０２１７】
上述したような本発明の好適な実施の形態に関する詳細な説明は、当業者が本発明を具現して実施できるように提供された。上記では本発明の好適な実施の形態を参照して説明したが、当該技術の分野における熟練された当業者にとっては、添付の特許請求の範囲に記載された本発明の思想及び領域から逸脱しない範囲内で本発明の様々な修正及び変更が可能であるということが理解されるであろう。したがって、本発明は、ここに開示された実施の形態に制限しようとするものではなく、ここに開示された原理及び新規な特徴などと一致する最広の範囲を与えようとするものである。
【産業上の利用可能性】
【０２１８】
上述したような本発明の実施の形態は様々な移動通信システムに適用可能である。
【図１】
0005998228.tif 000003
【図２】
0005998228.tif 000004
【図３】
0005998228.tif 000005
【図４】
0005998228.tif 000006
【図５】
0005998228.tif 000007
【図６】
0005998228.tif 000008
【図７】
0005998228.tif 000009